(57)【要約】ゲインセル型のメモリセルを有し、単位面積あたりに記憶できるデータ量が多い記憶装置を提供する。半導体基板に形成されたトランジスタを用いて、記憶装置の周辺回路を構成し、薄膜トランジスタを用いて、記憶装置のメモリセルを構成する。メモリセルが構成された薄膜トランジスタを含む層を、前記半導体基板の上方に複数積層して設けることで、単位面積あたりに記憶できるデータ量を増やすことができる。また、薄膜トランジスタとして、オフ電流が非常に小さいＯＳトランジスタを用いることで、電荷を蓄積する容量素子の容量を小さくできる。すなわち、メモリセルの面積を小さくできる。
2020157558.tif 000002
【特許請求の範囲】
【請求項１】
半導体基板と、
第１乃至第ｌの層（ｌは１以上の整数）と、を有し、
前記半導体基板には、前記半導体基板に形成されたトランジスタを用いて、周辺回路が構成され、
前記第ｋ（ｋは１以上ｌ以下の整数）の層には、前記第ｋの層に形成された薄膜トランジスタを用いて、メモリセルアレイが構成され、
前記第１の層は、前記半導体基板の上方に積層して設けられ、
前記第ｊ（ｊは２以上ｌ以下の整数）の層は、前記第ｊ−１の層の上方に積層して設けられる、記憶装置。
【請求項２】
半導体基板と、
第１乃至第ｌの層（ｌは１以上の整数）と、を有し、
前記半導体基板には、前記半導体基板に形成されたトランジスタを用いて、周辺回路が構成され、
前記第ｋ（ｋは１以上ｌ以下の整数）の層には、前記第ｋの層に形成された薄膜トランジスタを用いて、メモリセルアレイが構成され、
前記メモリセルアレイは、それぞれ、複数のメモリセルを有し、
前記メモリセルは、第１の前記薄膜トランジスタと、第２の前記薄膜トランジスタとを有し、
前記第１の層は、前記半導体基板の上方に積層して設けられ、
前記第ｊ（ｊは２以上ｌ以下の整数）の層は、前記第ｊ−１の層の上方に積層して設けられる、記憶装置。
【請求項３】
半導体基板と、
第１乃至第ｌの層（ｌは１以上の整数）と、を有し、
前記半導体基板には、前記半導体基板に形成されたトランジスタを用いて、周辺回路が構成され、
前記第ｋ（ｋは１以上ｌ以下の整数）の層には、前記第ｋの層に形成された薄膜トランジスタを用いて、メモリセルアレイが構成され、
前記周辺回路は、第１乃至第ｌのワード線ドライバ回路と、ビット線ドライバ回路とを有し、
前記第ｋの層に構成されたメモリセルアレイは、前記第ｋのワード線ドライバ回路と電気的に接続され、
前記メモリセルアレイは、それぞれ、前記ビット線ドライバ回路と電気的に接続され、
前記第１の層は、前記半導体基板の上方に積層して設けられ、
前記第ｊ（ｊは２以上ｌ以下の整数）の層は、前記第ｊ−１の層の上方に積層して設けられる、記憶装置。
【請求項４】
半導体基板と、
第１乃至第ｌの層（ｌは１以上の整数）と、を有し、
前記半導体基板には、前記半導体基板に形成されたトランジスタを用いて、周辺回路が構成され、
前記第ｋ（ｋは１以上ｌ以下の整数）の層には、前記第ｋの層に形成された薄膜トランジスタを用いて、メモリセルアレイが構成され、
前記周辺回路は、第１乃至第ｌのワード線ドライバ回路と、ビット線ドライバ回路とを有し、
前記第ｋの層に構成されたメモリセルアレイは、前記第ｋのワード線ドライバ回路と電気的に接続され、
前記メモリセルアレイは、それぞれ、前記ビット線ドライバ回路と電気的に接続され、
前記メモリセルアレイは、それぞれ、複数のメモリセルを有し、
前記メモリセルは、第１の前記薄膜トランジスタと、第２の前記薄膜トランジスタとを有し、
前記第１の層は、前記半導体基板の上方に積層して設けられ、
前記第ｊ（ｊは２以上ｌ以下の整数）の層は、前記第ｊ−１の層の上方に積層して設けられる、記憶装置。
【請求項５】
請求項１乃至請求項４のいずれか一項において、
前記薄膜トランジスタは、チャネル形成領域に金属酸化物を有する、記憶装置。
【請求項６】
請求項１乃至請求項４のいずれか一項において、
前記薄膜トランジスタは、それぞれ、フロントゲートと、バックゲートとを有する、記憶装置。
【請求項７】
請求項１乃至請求項４のいずれか一項において、
前記薄膜トランジスタは、チャネル形成領域に金属酸化物を有し、
前記薄膜トランジスタは、それぞれ、フロントゲートと、バックゲートとを有する、記憶装置。
【発明の詳細な説明】
【技術分野】
【０００１】本発明の一形態は、記憶装置に関する。特に、半導体特性を利用することで機能しうる記憶装置に関する。【０００２】また、本発明の一形態は、半導体装置に関する。本明細書等において、半導体装置とは、半導体特性を利用することで機能しうる装置全般を指す。例えば、集積回路、集積回路を備えたチップや、パッケージにチップを収納した電子部品、集積回路を備えた電子機器は、半導体装置の一例である。【０００３】なお、本発明の一形態は、上記の技術分野に限定されない。本明細書等で開示する発明の技術分野は、物、方法、または、製造方法に関するものである。または、本発明の一形態は、プロセス、マシン、マニュファクチャ、または、組成物（コンポジション・オブ・マター）に関するものである。
【背景技術】
【０００４】ＤＲＡＭ（Ｄｙｎａｍｉｃ  Ｒａｎｄｏｍ  Ａｃｃｅｓｓ  Ｍｅｍｏｒｙ）は、各種電子機器に内蔵される記憶装置（メモリともいう）として広く用いられている。ＤＲＡＭのメモリセルは、１個のトランジスタと１個の容量素子で構成され、ＤＲＡＭは容量素子に電荷を蓄積することでデータを記憶するメモリである。【０００５】ＤＲＡＭのメモリセルを、２個のトランジスタと１個の容量素子で構成してもよい。蓄積した電荷を近くのトランジスタで増幅することで、容量素子の容量が小さい場合でも、メモリとしての動作を行うことができる（以後、ゲインセル型のメモリセルという）。【０００６】また、トランジスタのチャネルが形成される領域（以下、チャネル形成領域ともいう）に金属酸化物を有するトランジスタ（酸化物半導体トランジスタ、ＯＳトランジスタともいう）が近年注目されている。ＯＳトランジスタは、トランジスタがオフ状態にあるときのドレイン電流（オフ電流ともいう）が非常に小さいため、ＤＲＡＭのメモリセルに用いることで、容量素子に蓄積した電荷を長時間にわたって保持することができる。【０００７】ＯＳトランジスタは薄膜トランジスタであるため、積層して設けることができる。例えば、単結晶シリコン基板に形成されたＳｉトランジスタを用いて第１の回路を構成し、その上方にＯＳトランジスタを用いて第２の回路を構成することができる。ＯＳトランジスタをＤＲＡＭに用いることで、例えば、第１の回路として駆動回路や制御回路などの周辺回路、第２の回路としてメモリセルを構成することができ、ＤＲＡＭのチップ面積を削減することができる。【０００８】特許文献１には、周辺回路を構成した半導体基板上に、ＯＳトランジスタを用いた複数のメモリセルを有する半導体装置の例が開示されている。特許文献２には、ＯＳトランジスタとＯＳトランジスタ以外のトランジスタ（例えば、Ｓｉトランジスタ）を、ゲインセル型のメモリセル（容量素子は省略してもよい）に用いた例が開示されている。【０００９】なお、本明細書等では、ＯＳトランジスタを用いたゲインセル型のメモリセルを有する記憶装置または半導体装置を、ＮＯＳＲＡＭ（登録商標、Ｎｏｎｖｏｌａｔｉｌｅ  Ｏｘｉｄｅ  Ｓｅｍｉｃｏｎｄｕｃｔｏｒ  Ｒａｎｄｏｍ  Ａｃｃｅｓｓ  Ｍｅｍｏｒｙ）と呼ぶ。
【先行技術文献】
【特許文献】
【００１０】
【特許文献１】特開２０１２−２５６８２０号公報
【特許文献２】特開２０１２−２５６４００号公報
【発明の概要】
【発明が解決しようとする課題】
【００１１】ＤＲＡＭにおいて、ゲインセル型のメモリセルは、蓄積した電荷を近くのトランジスタで増幅できるため、容量素子の容量を小さくすることができる。もしくは、トランジスタのゲート容量や、配線の寄生容量等を利用することで、容量素子を作成しなくてもよい（容量素子を省略してもよい）。【００１２】しかし、ゲインセル型のメモリセルは、１メモリセルあたり少なくとも２つのトランジスタが必要であり、単位面積あたりに配置できるメモリセルの数（配置密度）を増やしにくいという課題があった。すなわち、メモリセルの配置密度を増やすことで、記憶装置の記憶密度（単位面積あたりに記憶できるデータ量）を増やすことが難しいという課題があった。【００１３】本発明の一形態は、ゲインセル型のメモリセルを有する記憶装置において、単位面積あたりに記憶できるデータ量が多い記憶装置を提供することを課題の一つとする。または、本発明の一形態は、ゲインセル型のメモリセルを有し、単位面積あたりに記憶できるデータ量が多い記憶装置を有する電子機器を提供することを課題の一つとする。【００１４】なお、本発明の一形態は、必ずしも上記の課題の全てを解決する必要はなく、少なくとも一つの課題を解決できるものであればよい。また、上記の課題の記載は、他の課題の存在を妨げるものではない。これら以外の課題は、明細書、特許請求の範囲、図面などの記載から自ずと明らかになるものであり、明細書、特許請求の範囲、図面などの記載から、これら以外の課題を抽出することが可能である。
【課題を解決するための手段】
【００１５】本発明の一形態は、半導体基板と、第１乃至第ｌの層（ｌは１以上の整数）とを有する記憶装置である。半導体基板には、半導体基板に形成されたトランジスタを用いて、周辺回路が構成され、第ｋ（ｋは１以上ｌ以下の整数）の層には、第ｋの層に形成された薄膜トランジスタを用いて、メモリセルアレイが構成される。第１の層は、半導体基板の上方に積層して設けられ、第ｊ（ｊは２以上ｌ以下の整数）の層は、第ｊ−１の層の上方に積層して設けられる。【００１６】また、本発明の一形態は、半導体基板と、第１乃至第ｌの層（ｌは１以上の整数）とを有する記憶装置である。半導体基板には、半導体基板に形成されたトランジスタを用いて、周辺回路が構成され、第ｋ（ｋは１以上ｌ以下の整数）の層には、第ｋの層に形成された薄膜トランジスタを用いて、メモリセルアレイが構成される。メモリセルアレイは、それぞれ複数のメモリセルを有し、メモリセルは、第１の薄膜トランジスタと第２の薄膜トランジスタとを有する。第１の層は、半導体基板の上方に積層して設けられ、第ｊ（ｊは２以上ｌ以下の整数）の層は、第ｊ−１の層の上方に積層して設けられる。【００１７】また、本発明の一形態は、半導体基板と、第１乃至第ｌの層（ｌは１以上の整数）とを有する記憶装置である。半導体基板には、半導体基板に形成されたトランジスタを用いて、周辺回路が構成され、第ｋ（ｋは１以上ｌ以下の整数）の層には、第ｋの層に形成された薄膜トランジスタを用いて、メモリセルアレイが構成される。周辺回路は、第１乃至第ｌのワード線ドライバ回路と、ビット線ドライバ回路とを有し、第ｋの層に構成されたメモリセルアレイは、第ｋのワード線ドライバ回路と電気的に接続され、メモリセルアレイは、それぞれビット線ドライバ回路と電気的に接続される。第１の層は、半導体基板の上方に積層して設けられ、第ｊ（ｊは２以上ｌ以下の整数）の層は、第ｊ−１の層の上方に積層して設けられる。【００１８】また、本発明の一形態は、半導体基板と、第１乃至第ｌの層（ｌは１以上の整数）とを有する記憶装置である。半導体基板には、半導体基板に形成されたトランジスタを用いて、周辺回路が構成され、第ｋ（ｋは１以上ｌ以下の整数）の層には、第ｋの層に形成された薄膜トランジスタを用いて、メモリセルアレイが構成される。周辺回路は、第１乃至第ｌのワード線ドライバ回路と、ビット線ドライバ回路とを有し、第ｋの層に構成されたメモリセルアレイは、第ｋのワード線ドライバ回路と電気的に接続され、メモリセルアレイは、それぞれビット線ドライバ回路と電気的に接続される。メモリセルアレイは、それぞれ複数のメモリセルを有し、メモリセルは、第１の薄膜トランジスタと第２の薄膜トランジスタとを有する。第１の層は、半導体基板の上方に積層して設けられ、第ｊ（ｊは２以上ｌ以下の整数）の層は、第ｊ−１の層の上方に積層して設けられる。【００１９】また、上記形態において、薄膜トランジスタは、チャネル形成領域に金属酸化物を有する。【００２０】また、上記形態において、薄膜トランジスタは、それぞれ、フロントゲートとバックゲートとを有する。【００２１】また、上記形態において、薄膜トランジスタは、チャネル形成領域に金属酸化物を有し、薄膜トランジスタは、それぞれ、フロントゲートとバックゲートとを有する。
【発明の効果】
【００２２】本発明の一形態により、ゲインセル型のメモリセルを有する記憶装置において、単位面積あたりに記憶できるデータ量が多い記憶装置を提供することができる。または、本発明の一形態により、ゲインセル型のメモリセルを有し、単位面積あたりに記憶できるデータ量が多い記憶装置を有する電子機器を提供することができる。【００２３】なお、これらの効果の記載は、他の効果の存在を妨げるものではない。また、本発明の一形態は、必ずしも、これらの効果の全てを有する必要はない。これら以外の効果は、明細書、特許請求の範囲、図面などの記載から、自ずと明らかとなるものであり、明細書、特許請求の範囲、図面などの記載から、これら以外の効果を抽出することが可能である。
【図面の簡単な説明】
【００２４】図１は、記憶装置の構成例を示す斜視図である。
図２は、記憶装置の構成例を示す斜視概略図である。
図３は、記憶装置の構成例を示すブロック図である。
図４は、メモリセルアレイの構成例を示すブロック図である。
図５Ａ、図５Ｂは、メモリセルの構成例を示す回路図である。
図６は、ビット線ドライバ回路を構成する回路について構成例を示す回路図である。
図７は、メモリセルの動作例を説明するタイミングチャートである。
図８Ａ、図８Ｂは、本発明の一態様に係る記憶装置の上面図および断面図である。
図９Ａ、図９Ｂは、本発明の一態様に係る記憶装置の上面図および断面図である。
図１０は、本発明の一態様に係る記憶装置の上面図である。
図１１は、本発明の一態様に係る記憶装置の断面図である。
図１２は、本発明の一態様に係る記憶装置の断面図である。
図１３は、本発明の一態様に係る記憶装置の断面図である。
図１４Ａは、ＩＧＺＯの結晶構造の分類を説明する図である。図１４Ｂは、石英ガラスのＸＲＤスペクトルを説明する図である。図１４Ｃは、結晶性ＩＧＺＯのＸＲＤスペクトルを説明する図である。
図１５Ａ、図１５Ｂは、電子部品の一例を説明する図である。
図１６Ａ、図１６Ｂ、図１６Ｃ、図１６Ｄ、図１６Ｅ、図１６Ｆは、電子機器の一例を説明する図である。
図１７Ａ、図１７Ｂは、電子機器の一例を説明する図である。
図１８Ａ、図１８Ｂ、図１８Ｃは、電子機器の一例を説明する図である。
図１９は、各種の記憶装置を階層ごとに示す図である。
図２０Ａ、図２０Ｂは、電子機器の一例を説明する図である。
【発明を実施するための形態】
【００２５】以下、実施の形態について図面を参照しながら説明する。但し、実施の形態は多くの異なる形態で実施することが可能であり、趣旨およびその範囲から逸脱することなくその形態および詳細を様々に変更し得ることは、当業者であれば容易に理解される。従って、本発明は、以下の実施の形態の記載内容に限定して解釈されるものではない。
【００２６】また、以下に示される複数の実施の形態は、適宜組み合わせることが可能である。また、１つの実施の形態の中に複数の構成例が示される場合は、互いに構成例を適宜組み合わせることが可能である。
【００２７】なお、本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００２８】また、図面等において、大きさ、層の厚さ、領域等は、明瞭化のため誇張されている場合がある。よって、必ずしもそのスケールに限定されない。図面は、理想的な例を模式的に示したものであり、図面に示す形状または値などに限定されない。
【００２９】また、図面等において、同一の要素または同様な機能を有する要素、同一の材質の要素、あるいは同時に形成される要素等には同一の符号を付す場合があり、その繰り返しの説明は省略する場合がある。
【００３０】また、本明細書等において、「膜」という用語と、「層」という用語とは、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００３１】また、本明細書等において、「上」や「下」などの配置を示す用語は、構成要素の位置関係が、「直上」または「直下」であることを限定するものではない。例えば、「ゲート絶縁層上のゲート電極」の表現であれば、ゲート絶縁層とゲート電極との間に他の構成要素を含むものを除外しない。
【００３２】また、本明細書等において、「第１」、「第２」、「第３」などの序数詞は、構成要素の混同を避けるために付したものであり、数的に限定するものではない。
【００３３】また、本明細書等において、「電気的に接続」とは、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、インダクタ、容量素子、その他の各種機能を有する素子などが含まれる。また、「電気的に接続」と表現される場合であっても、実際の回路において、物理的な接続部分がなく、配線が延在しているだけの場合もある。
【００３４】また、本明細書等において、「電極」や「配線」の用語は、これらの構成要素を機能的に限定するものではない。例えば、「電極」は「配線」の一部として用いられることがあり、その逆も同様である。
【００３５】また、本明細書等において、電気回路における「端子」とは、電流または電位の入力（または、出力）や、信号の受信（または、送信）が行なわれる部位を言う。よって、配線または電極の一部が端子として機能する場合がある。
【００３６】また、一般に、「容量」は、２つの電極が絶縁体（誘電体）を介して向かい合う構成を有する。本明細書等において、「容量素子」とは、前述の「容量」である場合が含まれる。すなわち、本明細書等において、「容量素子」とは、２つの電極が絶縁体を介して向かい合う構成を有したもの、２本の配線が絶縁体を介して向かい合う構成を有したもの、または、２本の配線が絶縁体を介して配置されたもの、である場合が含まれる。
【００３７】また、本明細書等において、「電圧」とは、ある電位と基準の電位（例えば、グラウンド電位）との電位差のことを示す場合が多い。よって、電圧と電位差とは言い換えることができる。
【００３８】また、本明細書等において、トランジスタとは、ゲートと、ドレインと、ソースとを含む、少なくとも三つの端子を有する素子である。そして、ドレイン（ドレイン端子、ドレイン領域、またはドレイン電極）とソース（ソース端子、ソース領域、またはソース電極）の間にチャネル形成領域を有しており、チャネル形成領域を介して、ソースとドレインとの間に電流を流すことができるものである。なお、本明細書等において、チャネル形成領域とは、電流が主として流れる領域をいう。
【００３９】また、ソースやドレインの機能は、異なる極性のトランジスタを採用する場合や、回路動作において電流の方向が変化する場合などには入れ替わることがある。このため、本明細書等において、ソースやドレインの用語は、入れ替えて用いることができるものとする。
【００４０】また、本明細書等において、特に断りがない場合、オフ電流とは、トランジスタがオフ状態（非導通状態、遮断状態ともいう）にあるときのドレイン電流をいう。オフ状態とは、特に断りがない場合、ｎチャネル型のトランジスタでは、ソースに対するゲートの電圧Ｖｇｓがしきい値電圧Ｖｔｈよりも低い状態、ｐチャネル型のトランジスタでは、ソースに対するゲートの電圧Ｖｇｓがしきい値電圧Ｖｔｈよりも高い状態をいう。つまり、ｎチャネル型のトランジスタのオフ電流とは、ソースに対するゲートの電圧Ｖｇｓがしきい値電圧Ｖｔｈよりも低いときのドレイン電流、という場合がある。
【００４１】上記オフ電流の説明において、ドレインをソースと読み替えてもよい。つまり、オフ電流は、トランジスタがオフ状態にあるときのソース電流をいう場合がある。また、オフ電流と同じ意味で、リーク電流という場合がある。また、本明細書等において、オフ電流とは、トランジスタがオフ状態にあるときに、ソースとドレインとの間に流れる電流を指す場合がある。
【００４２】また、本明細書等において、オン電流とは、トランジスタがオン状態（導通状態、ともいう）にあるときに、ソースとドレインとの間に流れる電流を指す場合がある。
【００４３】また、本明細書等において、金属酸化物（ｍｅｔａｌ  ｏｘｉｄｅ）とは、広い意味での金属の酸化物である。金属酸化物は、酸化物絶縁体、酸化物導電体（透明酸化物導電体を含む）、酸化物半導体などに分類される。
【００４４】例えば、トランジスタのチャネル形成領域に金属酸化物を用いた場合、当該金属酸化物を酸化物半導体と呼称する場合がある。つまり、金属酸化物が増幅作用、整流作用、およびスイッチング作用の少なくとも１つを有する場合、当該金属酸化物を、金属酸化物半導体（ｍｅｔａｌ  ｏｘｉｄｅ  ｓｅｍｉｃｏｎｄｕｃｔｏｒ）と呼ぶことができる。すなわち、チャネル形成領域に金属酸化物を有するトランジスタを、「酸化物半導体トランジスタ」、「ＯＳトランジスタ」と呼ぶことができる。
【００４５】また、本明細書等において、窒素を有する金属酸化物も金属酸化物（ｍｅｔａｌ  ｏｘｉｄｅ）と呼称する場合がある。また、窒素を有する金属酸化物を、金属酸窒化物（ｍｅｔａｌ  ｏｘｙｎｉｔｒｉｄｅ）と呼称してもよい。金属酸化物の詳細については後述する。
【００４６】（実施の形態１）
本実施の形態では、本発明の一形態に係わる記憶装置の構成例について説明する。本発明の一形態に係わる記憶装置は、半導体特性を利用することで機能しうる記憶装置であり、メモリとも呼ばれている。また、本発明の一形態に係わる記憶装置は、半導体基板に形成されたトランジスタを有する層の上方に、ＯＳトランジスタを有する層が複数積層して設けられた構造を有する。
【００４７】図１は、本発明の一形態に係わる記憶装置１０の構成例を示す斜視図である。記憶装置１０は、層１００、および、層２００＿１乃至層２００＿ｌを有する（ｌは１以上の整数）。なお、本明細書等において、同様の機能を有する複数の要素を区別するために、「＿１」あるいは［＿２］などの符号が用いられる。すなわち、層２００＿１乃至層２００＿ｌのうち、任意の層を指すときは、層２００の符号を用いて説明し、１つを特定する必要があるときは、層２００＿１、層２００＿２などの符号を用いて説明する。
【００４８】図１に示すように、記憶装置１０は、層１００の上方に層２００＿１が積層して設けられ、層２００＿１の上方に層２００＿２が積層して設けられ、同様に、層２００＿３（図示しない）乃至層２００＿ｌに関しても、順に積層して設けられた構造を有する。また、説明をわかりやすくするため、本実施の形態においては、以後、ｌが２である場合について説明する。
【００４９】＜記憶装置の斜視概略図＞
図２は、本発明の一形態に係わる記憶装置１０の構成例を示す斜視概略図である。
【００５０】図２に示す記憶装置１０は、層１００、層２００＿１、および、層２００＿２を有し、層１００の上方に層２００＿１が積層して設けられ、層２００＿１の上方に層２００＿２が積層して設けられている。
【００５１】層１００、層２００＿１、および、層２００＿２には、それぞれ、半導体特性を利用することで機能しうる回路が設けられており、具体的には、層１００には周辺回路１０１が、層２００＿１および層２００＿２にはメモリセルアレイ１１１が、設けられている。なお、本明細書等で説明する図面においては、主な信号の流れを矢印または線で示しており、電源線等は省略する場合がある。
【００５２】周辺回路１０１は、ローデコーダ１２１、ワード線ドライバ回路１２２、ワード線ドライバ回路１２３、カラムデコーダ１３１、ビット線ドライバ回路１３２、ページバッファ１３８、出力回路１４１、および、コントロールロジック回路１５１を有する。周辺回路１０１は、メモリセルアレイ１１１の駆動回路および制御回路としての機能を有する。
【００５３】周辺回路１０１は、半導体基板ＳＵＢに形成されたトランジスタを用いて構成される。半導体基板ＳＵＢは、トランジスタのチャネル領域を形成することが可能であれば、特に限定されない。例えば、単結晶シリコン基板、単結晶ゲルマニウム基板、化合物半導体基板（ＳｉＣ基板、ＧａＮ基板など）、ＳＯＩ（Ｓｉｌｉｃｏｎ  ｏｎ  Ｉｎｓｕｌａｔｏｒ）基板などを用いることができる。
【００５４】また、ＳＯＩ基板としては、鏡面研磨ウェハーに酸素イオンを注入した後、高温加熱することにより、表面から一定の深さに酸化層を形成させるとともに、表面層に生じた欠陥を消滅させて形成されたＳＩＭＯＸ（Ｓｅｐａｒａｔｉｏｎ  ｂｙ  Ｉｍｐｌａｎｔｅｄ  Ｏｘｙｇｅｎ）基板や、水素イオン注入により形成された微小ボイドの熱処理による成長を利用して半導体基板を劈開するスマートカット法、ＥＬＴＲＡＮ法（登録商標：Ｅｐｉｔａｘｉａｌ  Ｌａｙｅｒ  Ｔｒａｎｓｆｅｒ）などを用いて形成されたＳＯＩ基板を用いてもよい。単結晶基板を用いて形成されたトランジスタは、チャネル形成領域に単結晶半導体を有する。
【００５５】本実施の形態においては、半導体基板ＳＵＢに、単結晶シリコン基板を用いた場合について説明する。なお、単結晶シリコン基板に形成されたトランジスタを、Ｓｉトランジスタと呼ぶ。Ｓｉトランジスタを用いて構成された周辺回路１０１は、高速な動作が可能である。
【００５６】メモリセルアレイ１１１は、複数のメモリセル１１２を有し、メモリセル１１２はＯＳトランジスタを用いて構成される。ＯＳトランジスタは薄膜トランジスタであるため、メモリセルアレイ１１１は、半導体基板ＳＵＢ上に積層して設けることができる。
【００５７】ここで、酸化物半導体のバンドギャップは２．５ｅＶ以上、好ましくは３．０ｅＶ以上であるため、ＯＳトランジスタは熱励起によるリーク電流が小さく、オフ電流が非常に小さい。
【００５８】ＯＳトランジスタのチャネル形成領域に用いられる金属酸化物は、インジウム（Ｉｎ）および亜鉛（Ｚｎ）の少なくとも一方を含む酸化物半導体であることが好ましい。このような酸化物半導体としては、Ｉｎ−Ｍ−Ｚｎ酸化物（元素Ｍは、例えばＡｌ、Ｇａ、ＹまたはＳｎ）が代表的である。電子供与体（ドナー）となる水分、水素などの不純物を低減し、かつ酸素欠損も低減することで、酸化物半導体をｉ型（真性）、または実質的にｉ型にすることができる。このような酸化物半導体は、高純度化された酸化物半導体と呼ぶことができる。なお、ＯＳトランジスタの詳細については、実施の形態３で説明する。
【００５９】メモリセル１１２は、電荷を蓄積し保持することで、データを記憶する機能を有する。メモリセル１１２は、２値（ハイレベルまたはローレベル）のデータを記憶する機能を有していてもよいし、４値以上のデータを記憶する機能を有していてもよい。または、アナログデータを記憶する機能を有していてもよい。
【００６０】ＯＳトランジスタは、オフ電流が非常に小さいため、メモリセル１１２に用いるトランジスタとして好適である。ＯＳトランジスタは、例えば、チャネル幅１μｍあたりのオフ電流を１００ｚＡ／μｍ以下、または１０ｚＡ／μｍ以下、または１ｚＡ／μｍ以下、または１０ｙＡ／μｍ以下とすることができる。ＯＳトランジスタをメモリセル１１２に用いることにより、メモリセル１１２に記憶したデータを長時間に渡って保持することができる。
【００６１】ＯＳトランジスタは、高温下でもオフ電流が増加しにくい特徴を有するため、記憶装置１０は、設置されている環境の温度が高い場合でも動作することができる。また、周辺回路１０１の発熱による高温下においても、メモリセル１１２に記憶したデータの消失が生じにくい。ＯＳトランジスタを用いることで、記憶装置１０の信頼性を高めることができる。
【００６２】もしくは、メモリセル１１２に用いるトランジスタとして、オフ電流が低ければＯＳトランジスタ以外のトランジスタを用いてもよい。例えば、チャネル形成領域にバンドギャップが大きい半導体を有するトランジスタを用いてもよい。バンドギャップが大きい半導体とは、バンドギャップが２．２ｅＶ以上の半導体を指す場合があり、例えば、炭化ケイ素、窒化ガリウム、ダイヤモンドなどが挙げられる。
【００６３】図２に示すように、メモリセルアレイ１１１において、メモリセル１１２は行列状（マトリクス状ともいう）に配置され、各メモリセル１１２は、配線ＷＬおよび配線ＢＬと電気的に接続される。メモリセル１１２は、配線ＷＬに印加される電位によって選択され、配線ＢＬを介して、選択されたメモリセル１１２にデータが書き込まれる。または、メモリセル１１２は、配線ＷＬに印加される電位によって選択され、配線ＢＬを介して、選択されたメモリセル１１２からデータが読み出される。すなわち、配線ＷＬはメモリセル１１２のワード線としての機能を有し、配線ＢＬはメモリセル１１２のビット線としての機能を有する。
【００６４】なお、図２に示す配線ＷＬおよび配線ＢＬは、それぞれ、複数の配線から構成される。例えば、配線ＷＬは、プレート線ＰＬ、書き込みワード線ＷＷＬ、読み出しワード線ＲＷＬ、配線ＢＧ１、および、配線ＢＧ２から構成され、配線ＢＬは、読み出しビット線ＲＢＬ、および、書き込みビット線ＷＢＬから構成される（図３および図４、参照）。
【００６５】そして、層２００＿１に設けられたメモリセルアレイ１１１は、配線ＷＬを介してワード線ドライバ回路１２２と電気的に接続され、層２００＿２に設けられたメモリセルアレイ１１１は、配線ＷＬを介してワード線ドライバ回路１２３と電気的に接続される。また、層２００＿１に設けられたメモリセルアレイ１１１と、層２００＿２に設けられたメモリセルアレイ１１１は、配線ＢＬを介して、ビット線ドライバ回路１３２と電気的に接続される。
【００６６】メモリセルアレイ１１１と、ワード線ドライバ回路１２２、ワード線ドライバ回路１２３、および、ビット線ドライバ回路１３２との電気的な接続については、後ほど図４を用いて説明し、周辺回路１０１については、図３を用いて説明する。
【００６７】＜記憶装置のブロック図＞
図３は、記憶装置１０の構成例を示すブロック図である。図３に示すブロック図では、層２００＿２に設けられたメモリセルアレイ１１１と、ワード線ドライバ回路１２３を省略し、メモリセルアレイ１１１が有するメモリセル１１２は、代表的に１つのみ図示している。
【００６８】図３に示すように、記憶装置１０は、周辺回路１０１、および、メモリセルアレイ１１１を有する。周辺回路１０１は、ローデコーダ１２１、ワード線ドライバ回路１２２、カラムデコーダ１３１、ビット線ドライバ回路１３２、ページバッファ１３８、出力回路１４１、および、コントロールロジック回路１５１を有する。
【００６９】メモリセルアレイ１１１は、複数のメモリセル１１２（図３では１つのみ図示）を有し、メモリセル１１２は、プレート線ＰＬ、書き込みワード線ＷＷＬ、読み出しワード線ＲＷＬ、配線ＢＧ１、および、配線ＢＧ２を介してワード線ドライバ回路１２２と電気的に接続され、読み出しビット線ＲＢＬ、および、書き込みビット線ＷＢＬを介してビット線ドライバ回路１３２と電気的に接続される。
【００７０】記憶装置１０には、電位Ｖｓｓ、電位Ｖｄｄ、電位Ｖｄｈ、プリチャージ電位Ｖｐｒｅ、および、レファレンス電位Ｖｒｅｆが入力される。電位Ｖｄｈは、書き込みワード線ＷＷＬの高電源電位である。
【００７１】記憶装置１０には、クロック信号ＣＬＫ、チップイネーブル信号ＣＥ、グローバル書き込みイネーブル信号ＧＷ、バイト書き込みイネーブル信号ＢＷ、アドレス信号ＡＤＤＲ、および、データ信号ＷＤＡＴＡが入力され、記憶装置１０は、データ信号ＲＤＡＴＡを出力する。なお、これらの信号は、ハイレベルまたはローレベル（ＨｉｇｈまたはＬｏｗ、ＨまたはＬ、１または０等で表される場合がある）で表されるデジタル信号である。
【００７２】なお、本実施の形態では、デジタル信号のハイレベルは電位Ｖｄｄを用いて表され、ローレベルは電位Ｖｓｓを用いて表される。また、書き込みワード線ＷＷＬのハイレベルには電位Ｖｄｈが用いられ、ローレベルには電位Ｖｓｓが用いられる。そして、バイト書き込みイネーブル信号ＢＷ、アドレス信号ＡＤＤＲ、データ信号ＷＤＡＴＡ、および、データ信号ＲＤＡＴＡは、複数ビットを有する信号である。
【００７３】本明細書等では、複数ビットを有する信号に対して、例えば、バイト書き込みイネーブル信号ＢＷが４ビットを有する場合、バイト書き込みイネーブル信号ＢＷ［３：０］と表記する。これは、バイト書き込みイネーブル信号がＢＷ［０］乃至ＢＷ［３］を有することを意味し、１つのビットを特定する必要がある場合、例えば、バイト書き込みイネーブル信号ＢＷ［０］と表記する。また、バイト書き込みイネーブル信号ＢＷと表記した場合、任意のビットを指している。
【００７４】例えば、バイト書き込みイネーブル信号ＢＷを４ビット、データ信号ＷＤＡＴＡおよびデータ信号ＲＤＡＴＡを３２ビットとすることができる。すなわち、バイト書き込みイネーブル信号ＢＷ、データ信号ＷＤＡＴＡ、および、データ信号ＲＤＡＴＡは、それぞれ、バイト書き込みイネーブル信号ＢＷ［３：０］、データ信号ＷＤＡＴＡ［３１：０］、データ信号ＲＤＡＴＡ［３１：０］と表記される。
【００７５】なお、記憶装置１０において、上述の各回路、各信号、および、各電位は、必要に応じて適宜取捨することができる。あるいは、他の回路、他の信号、または、他の電位を追加してもよい。
【００７６】コントロールロジック回路１５１は、チップイネーブル信号ＣＥ、グローバル書き込みイネーブル信号ＧＷを処理して、ローデコーダ１２１、カラムデコーダ１３１の制御信号を生成する。例えば、チップイネーブル信号ＣＥがハイレベル、グローバル書き込みイネーブル信号ＧＷがローレベルの場合、ローデコーダ１２１およびカラムデコーダ１３１は読み出し動作を行い、チップイネーブル信号ＣＥがハイレベル、グローバル書き込みイネーブル信号ＧＷがハイレベルの場合、ローデコーダ１２１およびカラムデコーダ１３１は書き込み動作を行い、チップイネーブル信号ＣＥがローレベルの場合、グローバル書き込みイネーブル信号ＧＷのハイレベル、ローレベルにかかわらず、ローデコーダ１２１およびカラムデコーダ１３１はスタンバイ動作とすることができる。コントロールロジック回路１５１が処理する信号は、これに限定されるものではなく、必要に応じて他の信号を入力してもよい。
【００７７】また、コントロールロジック回路１５１は、バイト書き込みイネーブル信号ＢＷ［３：０］を処理して、書き込み動作を制御する。具体的には、バイト書き込みイネーブル信号ＢＷ［０］がハイレベルの場合、ローデコーダ１２１およびカラムデコーダ１３１は、データ信号ＷＤＡＴＡ［７：０］の書き込み動作を行う。同様に、バイト書き込みイネーブル信号ＢＷ［１］がハイレベルの場合、データ信号ＷＤＡＴＡ［１５：８］の書き込み動作、バイト書き込みイネーブル信号ＢＷ［２］がハイレベルの場合、データ信号ＷＤＡＴＡ［２３：１６］の書き込み動作、バイト書き込みイネーブル信号ＢＷ［３］がハイレベルの場合、データ信号ＷＤＡＴＡ［３１：２４］の書き込み動作を行う。
【００７８】ローデコーダ１２１およびカラムデコーダ１３１には、上述した、コントロールロジック回路１５１が生成する制御信号に加えて、アドレス信号ＡＤＤＲが入力される。
【００７９】ローデコーダ１２１は、アドレス信号ＡＤＤＲをデコードし、ワード線ドライバ回路１２２の制御信号を生成する。ワード線ドライバ回路１２２は、プレート線ＰＬ、書き込みワード線ＷＷＬ、読み出しワード線ＲＷＬ、配線ＢＧ１、および、配線ＢＧ２を駆動する機能、または、所定の電位を印加する機能を有する。ワード線ドライバ回路１２２は、ローデコーダ１２１の制御信号に基づき、アクセス対象行の書き込みワード線ＷＷＬ、または、読み出しワード線ＲＷＬを選択する。ワード線ドライバ回路１２２は、配線ＢＧ１、または、配線ＢＧ２を選択する機能を有していてもよい。
【００８０】また、メモリセルアレイ１１１が、複数のブロックに分割されている場合、プレデコーダ１２４を設けてもよい。プレデコーダ１２４は、アドレス信号ＡＤＤＲをデコードして、アクセスされるブロックを決定する機能を有する。
【００８１】カラムデコーダ１３１、ビット線ドライバ回路１３２、および、ページバッファ１３８は、データ信号ＷＤＡＴＡにより入力されたデータをメモリセルアレイ１１１に書き込む機能、メモリセルアレイ１１１からデータを読み出す機能、読み出したデータを増幅し、出力回路１４１に出力する機能等を有する。
【００８２】出力回路１４１は、カラムデコーダ１３１およびビット線ドライバ回路１３２によって、メモリセルアレイ１１１から読み出され、ページバッファ１３８に記憶されたデータを、データ信号ＲＤＡＴＡとして出力する。
【００８３】なお、図３の例では、ビット線ドライバ回路１３２は、プリチャージ回路１３３、センスアンプ回路１３４、出力ＭＵＸ（マルチプレクサ）回路１３５、および、書き込みドライバ回路１３６を有する。なお、プリチャージ回路１３３、センスアンプ回路１３４、出力ＭＵＸ回路１３５、および、書き込みドライバ回路１３６については、後述する。
【００８４】＜メモリセルアレイ＞
図４は、メモリセルアレイ１１１の構成例を示すブロック図である。図４には、２つのメモリセルアレイ１１１と、ワード線ドライバ回路１２２、ワード線ドライバ回路１２３、および、ビット線ドライバ回路１３２を図示し、図４は、メモリセルアレイ１１１がプレート線ＰＬ、書き込みワード線ＷＷＬ、読み出しワード線ＲＷＬ、配線ＢＧ１、および、配線ＢＧ２を介してワード線ドライバ回路１２２と電気的に接続される様子、メモリセルアレイ１１１が配線ＷＬを介してワード線ドライバ回路１２３と電気的に接続される様子、および、メモリセルアレイ１１１が読み出しビット線ＲＢＬ、および、書き込みビット線ＷＢＬを介してビット線ドライバ回路１３２と電気的に接続される様子も示している。
【００８５】ここで、配線ＷＬを介してワード線ドライバ回路１２２と電気的に接続されたメモリセルアレイ１１１は、層２００＿１に設けられたメモリセルアレイ１１１であり、配線ＷＬを介してワード線ドライバ回路１２３と電気的に接続されたメモリセルアレイ１１１は、層２００＿２に設けられたメモリセルアレイ１１１である。
【００８６】１つのメモリセルアレイ１１１は、一列にｍ（ｍは１以上の整数）個、一行にｎ（ｎは１以上の整数）個、合計ｍ×ｎ個のメモリセル１１２を有し、メモリセル１１２は行列状に配置されている。なお、図４では、層２００＿１および層２００＿２に同じメモリセルアレイ１１１が設けられているとしたが、層２００＿１に設けられたメモリセルアレイ１１１と、層２００＿２に設けられたメモリセルアレイ１１１において、有するメモリセル１１２の個数等が異なっていてもよい。
【００８７】図４では、メモリセル１１２のアドレスも表記しており、［１，１］、［ｉ，１］、［ｍ，１］、［１，ｊ］、［ｉ，ｊ］、［ｍ，ｊ］、［１，ｎ］、［ｉ，ｎ］、［ｍ，ｎ］（ｉは１以上ｍ以下の整数、ｊは１以上ｎ以下の整数）は、メモリセル１１２のアドレスである。例えば、［ｉ，ｊ］と表記されたメモリセル１１２は、ｉ行ｊ列に配置されたメモリセル１１２である。
【００８８】アドレスと同様に、プレート線ＰＬ、書き込みワード線ＷＷＬ、読み出しワード線ＲＷＬ、配線ＢＧ１、配線ＢＧ２、読み出しビット線ＲＢＬ、書き込みビット線ＷＢＬの後に付された、［１］、［ｉ］、［ｍ］、［ｊ］、［ｎ］も、行または列を表す番号である。
【００８９】ｉ行ｊ列に配置されたメモリセル１１２は、プレート線ＰＬ［ｉ］、書き込みワード線ＷＷＬ［ｉ］、読み出しワード線ＲＷＬ［ｉ］、配線ＢＧ１［ｉ］、配線ＢＧ２［ｉ］、読み出しビット線ＲＢＬ［ｊ］、および、書き込みビット線ＷＢＬ［ｊ］と電気的に接続される。また、ｉ行ｊ列に配置されたメモリセル１１２は、プレート線ＰＬ［ｉ］、書き込みワード線ＷＷＬ［ｉ］、読み出しワード線ＲＷＬ［ｉ］、配線ＢＧ１［ｉ］、および、配線ＢＧ２［ｉ］を介してワード線ドライバ回路１２２、または、ワード線ドライバ回路１２３と電気的に接続され、読み出しビット線ＲＢＬ［ｊ］、および、書き込みビット線ＷＢＬ［ｊ］を介してビット線ドライバ回路１３２と電気的に接続される。
【００９０】すなわち、記憶装置１０は、２×ｍ本のプレート線ＰＬ、２×ｍ本の書き込みワード線ＷＷＬ、２×ｍ本の読み出しワード線ＲＷＬ、２×ｍ本の配線ＢＧ１、２×ｍ本の配線ＢＧ２、ｎ本の読み出しビット線ＲＢＬ、および、ｎ本の書き込みビット線ＷＢＬを有する。
【００９１】＜メモリセル＞
図５Ａは、メモリセル１１２の構成例を示す回路図である。
【００９２】メモリセル１１２は、トランジスタ１１、トランジスタ１２、および、容量素子Ｃ１１を有する。ここで、トランジスタ１１を書き込みトランジスタ、トランジスタ１２を読み出しトランジスタと呼ぶ場合がある。また、トランジスタ１１およびトランジスタ１２は、それぞれ、フロントゲート（単にゲートと呼ぶ場合がある）、および、バックゲートを有する。
【００９３】トランジスタ１１のソースまたはドレインの一方は、書き込みビット線ＷＢＬと電気的に接続され、トランジスタ１１のソースまたはドレインの他方は、トランジスタ１２のフロントゲート、および、容量素子Ｃ１１の一方の端子と電気的に接続され、トランジスタ１１のフロントゲートは、書き込みワード線ＷＷＬと電気的に接続され、トランジスタ１１のバックゲートは配線ＢＧ１と電気的に接続される。
【００９４】トランジスタ１２のソースまたはドレインの一方は、読み出しビット線ＲＢＬと電気的に接続され、トランジスタ１２のソースまたはドレインの他方は、読み出しワード線ＲＷＬと電気的に接続され、トランジスタ１２のバックゲートは配線ＢＧ２と電気的に接続される。また、容量素子Ｃ１１の他方の端子は、プレート線ＰＬと電気的に接続される。
【００９５】ここで、配線ＢＧ１は、トランジスタ１１のバックゲートに、所定の電位を印加するための配線として機能し、配線ＢＧ２は、トランジスタ１２のバックゲートに、所定の電位を印加するための配線として機能し、プレート線ＰＬは、容量素子Ｃ１１の他方の端子に、所定の電位を印加するための配線として機能する。
【００９６】また、トランジスタ１１のソースまたはドレインの他方と、トランジスタ１２のフロントゲート、および、容量素子Ｃ１１の一方の端子が、電気的に接続された接続部をノードＮ１１と呼称する。トランジスタ１１は、ノードＮ１１と、書き込みビット線ＷＢＬとを、導通または非導通とするスイッチとしての機能を有する。また、メモリセル１１２は、容量素子Ｃ１１を有さない構成としてもよい。
【００９７】データの書き込みは、書き込みワード線ＷＷＬにハイレベルの電位を印加してトランジスタ１１を導通状態とし、ノードＮ１１と書き込みビット線ＷＢＬとを電気的に接続することによって行われる。具体的には、トランジスタ１１が導通状態のとき、書き込みビット線ＷＢＬに書き込むデータに対応する電位を印加し、ノードＮ１１に当該電位を書き込む。その後、書き込みワード線ＷＷＬにローレベルの電位を印加し、トランジスタ１１を非導通状態とすることによって、ノードＮ１１の電位を保持する。
【００９８】データの読み出しは、読み出しビット線ＲＢＬに所定の電位を印加し、その後、読み出しビット線ＲＢＬを電気的に浮遊（フローティング）状態とし、かつ、読み出しワード線ＲＷＬにローレベルの電位を印加することによって行われる。以後、読み出しビット線ＲＢＬに所定の電位を印加し、その後、読み出しビット線ＲＢＬをフローティング状態とすることを、読み出しビット線ＲＢＬをプリチャージする、と表現する。
【００９９】例えば、読み出しビット線ＲＢＬに電位Ｖｄｄをプリチャージすることで、トランジスタ１２はソースとドレインとの間に電位差を有し、トランジスタ１２のソースとドレインとの間に流れる電流は、ノードＮ１１に保持されている電位によって決まる。そのため、読み出しビット線ＲＢＬがフローティング状態のときの、読み出しビット線ＲＢＬの電位変化を読み出すことによって、ノードＮ１１に保持されている電位を読み出すことができる。
【０１００】また、データを書き込むメモリセル１１２が配置されている行は、ハイレベルの電位を印加する書き込みワード線ＷＷＬによって選択され、データを読み出すメモリセル１１２が配置されている行は、ローレベルの電位を印加する読み出しワード線ＲＷＬによって選択される。逆に、データを書き込まないメモリセル１１２が配置されている行は、書き込みワード線ＷＷＬにローレベルの電位を印加し、データを読み出さないメモリセル１１２が配置されている行は、読み出しワード線ＲＷＬに読み出しビット線ＲＢＬにプリチャージする電位と同じ電位を印加することで、非選択とすることができる。
【０１０１】メモリセル１１２は、ノードＮ１１に電荷を蓄積し保持することで、データを記憶することができる。本実施の形態では、ノードＮ１１に、２値のデータを記憶できるものとする。
【０１０２】また、メモリセル１１２は、２トランジスタ１容量素子（または、２トランジスタ）で構成されるゲインセル型のメモリセルである。ゲインセル型のメモリセルは、電荷を蓄積する容量が小さい場合でも、蓄積した電荷を直近のトランジスタで増幅することで、メモリとしての動作を行うことができる。メモリセル１１２は、上述したＮＯＳＲＡＭである。
【０１０３】＜トランジスタ＞
トランジスタ１１およびトランジスタ１２は、チャネル形成領域に金属酸化物を有するトランジスタ（ＯＳトランジスタ）である。例えば、トランジスタ１１およびトランジスタ１２のチャネル形成領域に、インジウム、元素Ｍ（元素Ｍは、アルミニウム、ガリウム、イットリウム、銅、バナジウム、ベリリウム、ホウ素、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種）、亜鉛のいずれか一つを有する金属酸化物を用いることができる。特に、インジウム、ガリウム、亜鉛からなる金属酸化物であることが好ましい。
【０１０４】ＯＳトランジスタはオフ電流が非常に小さいため、トランジスタ１１にＯＳトランジスタを用いることで、ノードＮ１１に書き込んだ電位を長時間保持することができる。すなわち、メモリセル１１２に書き込んだデータを長時間保持することができる。
【０１０５】または、トランジスタ１１にＯＳトランジスタを用いることで、容量素子Ｃ１１の容量を小さくすることができる。例えば、容量素子Ｃ１１として、トランジスタのゲート容量や、配線の寄生容量等を利用することができる。そのため、メモリセル１１２において、トランジスタや配線とは別に容量素子を作成する必要がなく、メモリセル１１２は、容量素子Ｃ１１を有さない構成としてもよい。メモリセル１１２が容量素子Ｃ１１を有さない構成とすることで、メモリセル１１２の面積を小さくできる。
【０１０６】また、ＯＳトランジスタは薄膜トランジスタであるため、トランジスタ１１およびトランジスタ１２にＯＳトランジスタを用いることで、メモリセルアレイ１１１は、周辺回路１０１に積層して設けることができる。
【０１０７】トランジスタ１１およびトランジスタ１２が有するバックゲートに関して、トランジスタ１１およびトランジスタ１２のバックゲートに、配線ＢＧ１または配線ＢＧ２を介して所定の電位を印加することで、トランジスタ１１およびトランジスタ１２のしきい値電圧を増減することができる。
【０１０８】具体的には、トランジスタ１１およびトランジスタ１２のバックゲートに印加する電位を高くすることで、しきい値電圧はマイナスにシフトし、トランジスタ１１およびトランジスタ１２のバックゲートに印加する電位を低くすることで、しきい値電圧はプラスにシフトする。しきい値電圧をマイナスにシフトすることで、トランジスタのオン電流を増加することができ、メモリセル１１２は、高速動作を行うことができる。しきい値電圧をプラスにシフトすることで、トランジスタのオフ電流を低減することができ、メモリセル１１２は、データを長時間保持することができる。
【０１０９】図５Ａに示すメモリセル１１２において、トランジスタ１１のバックゲートは配線ＢＧ１と電気的に接続され、トランジスタ１２のバックゲートは配線ＢＧ２と電気的に接続されるため、配線ＢＧ１に印加する電位を低くすることでトランジスタ１１のオフ電流を低減し、配線ＢＧ２に印加する電位を高くすることでトランジスタ１２のオン電流を増加することができる。トランジスタ１１およびトランジスタ１２を、それぞれの目的に合わせたトランジスタとすることができる。または、配線ＢＧ１と配線ＢＧ２をまとめて一本の配線とし、トランジスタ１１のバックゲートと、トランジスタ１２のバックゲートに、同じ電位を印加してもよい。
【０１１０】または、配線ＢＧ２を、ワード線ドライバ回路１２２またはワード線ドライバ回路１２３を用いて、駆動してもよい。ワード線ドライバ回路１２２またはワード線ドライバ回路１２３は、読み出し対象行の配線ＢＧ２に印加する電位を高くすることで、読み出し動作時にトランジスタ１２のオン電流を増加することができる。逆に、読み出し対象行以外の配線ＢＧ２に低い電位を印加することで、読み出し動作を行っていないトランジスタ１２のオフ電流を低減することができる。
【０１１１】データの読み出し動作が行われているメモリセル１１２が有するトランジスタ１２のオン電流を増加することで、メモリセル１１２の読み出し動作を高速にし、それ以外のメモリセル１１２が有するトランジスタ１２のオフ電流を低減することで、読み出しビット線ＲＢＬにリークする電流を小さくすることができる。読み出しビット線ＲＢＬにリークする電流を小さくすることで、読み出し動作の精度を高めることができる。
【０１１２】＜メモリセル２＞
または、トランジスタ１１が有するバックゲートとトランジスタ１１が有するフロントゲートとを電気的に接続し、トランジスタ１２が有するバックゲートとトランジスタ１２が有するフロントゲートとを電気的に接続してもよい。図５Ｂは、メモリセル１１３の構成例を示す回路図である。
【０１１３】メモリセル１１３は、トランジスタ１１、トランジスタ１２、および、容量素子Ｃ１１を有する。
【０１１４】トランジスタ１１のソースまたはドレインの一方は、書き込みビット線ＷＢＬと電気的に接続され、トランジスタ１１のソースまたはドレインの他方は、トランジスタ１２のフロントゲート、トランジスタ１２のバックゲート、および、容量素子Ｃ１１の一方の端子と電気的に接続され、トランジスタ１１のフロントゲートは、書き込みワード線ＷＷＬ、および、トランジスタ１１のバックゲートと電気的に接続される。
【０１１５】トランジスタ１２のソースまたはドレインの一方は、読み出しビット線ＲＢＬと電気的に接続され、トランジスタ１２のソースまたはドレインの他方は、読み出しワード線ＲＷＬと電気的に接続される。また、容量素子Ｃ１１の他方の端子は、プレート線ＰＬと電気的に接続される。
【０１１６】トランジスタ１１が有するバックゲートとトランジスタ１１が有するフロントゲートとを電気的に接続することで、トランジスタ１１のオン電流を増加することができる。また、トランジスタ１２が有するバックゲートとトランジスタ１２が有するフロントゲートとを電気的に接続することで、トランジスタ１２のオン電流を増加することができる。すなわち、メモリセル１１３は、高速動作を行うことができる。
【０１１７】または、トランジスタ１１およびトランジスタ１２を、それぞれ、バックゲートを有さないトランジスタとしてもよい。トランジスタ１１およびトランジスタ１２を、それぞれ、フロントゲートのみ有するトランジスタとすることで、トランジスタの製造工程を簡略化することができる。
【０１１８】＜ビット線ドライバ回路の構成例＞
ビット線ドライバ回路１３２には、列ごとに、図６に示す回路５０が設けられている。図６は、回路５０の構成例を示す回路図である。本実施の形態では、メモリセルアレイ１１１は、一行に１２８個のメモリセル１１２を有するものとする（ｎ＝１２８）。
【０１１９】回路５０は、トランジスタ６１乃至トランジスタ６６、センスアンプ回路５１、ＡＮＤ回路５２、アナログスイッチ５３、および、アナログスイッチ５４を有する。
【０１２０】回路５０は、信号ＳＥＮ、信号ＳＥＰ、信号ＢＰＲ、信号ＲＳＥＬ［３：０］、信号ＷＳＥＬ、信号ＧＲＳＥＬ［３：０］、信号ＧＷＳＥＬ［１５：０］に従い、動作する。なお、１つの回路５０には、４ビットの信号ＲＳＥＬ［３：０］のうち、何れか１ビットの信号が入力される。複数のビットを有する他の信号（ＧＲＳＥＬ［３：０］等）についても同様である。
【０１２１】ビット線ドライバ回路１３２によって、データＤＩＮ［３１：０］がメモリセルアレイ１１１に書き込まれ、データＤＯＵＴ［３１：０］がメモリセルアレイ１１１から読み出される。１つの回路５０は、３２ビットのデータＤＩＮ［３１：０］のうち、何れか１ビットのデータをメモリセルアレイ１１１に書き込み、３２ビットのデータＤＯＵＴ［３１：０］のうち、何れか１ビットのデータをメモリセルアレイ１１１から読み出す機能を有する。
【０１２２】なお、データＤＩＮ［３１：０］およびデータＤＯＵＴ［３１：０］は内部信号であり、データＤＩＮ［３１：０］は、ページバッファ１３８からビット線ドライバ回路１３２に供給される信号であり、データＤＯＵＴ［３１：０］は、ビット線ドライバ回路１３２からページバッファ１３８へ出力される信号である。また、ページバッファ１３８には、記憶装置１０の外部からデータ信号ＷＤＡＴＡが入力され、ページバッファ１３８は、出力回路１４１を介して、データ信号ＲＤＡＴＡを記憶装置１０の外部へ出力する。
【０１２３】ページバッファ１３８は、少なくとも、メモリセルアレイ１１１において一行に記憶できるデータ量（ｎビット）を記憶できることが好ましい。本実施の形態では、１２８ビット以上のデータを記憶できることが好ましい。
【０１２４】＜＜プリチャージ回路＞＞
トランジスタ６１は、プリチャージ回路１３３を構成する。トランジスタ６１によって、読み出しビット線ＲＢＬは、プリチャージ電位Ｖｐｒｅにプリチャージされる。なお、本実施の形態では、プリチャージ電位Ｖｐｒｅとして、電位Ｖｄｄ（ハイレベル）を用いた場合を説明する（図６、図７では、Ｖｄｄ（Ｖｐｒｅ）と表記する）。信号ＢＰＲはプリチャージ信号であり、信号ＢＰＲによって、トランジスタ６１の導通状態が制御される。
【０１２５】＜＜センスアンプ回路＞＞
センスアンプ回路５１は、センスアンプ回路１３４を構成する。センスアンプ回路５１は、読み出し動作時には、読み出しビット線ＲＢＬに入力されたデータのハイレベルまたはローレベルを判定する。また、センスアンプ回路５１は、書き込み動作時には、書き込みドライバ回路１３６から入力されたデータＤＩＮを一時的に保持するラッチ回路として機能する。
【０１２６】図６に示すセンスアンプ回路５１は、ラッチ型センスアンプである。センスアンプ回路５１は、２個のインバータ回路を有し、一方のインバータ回路の入力ノードが他方のインバータ回路の出力ノードと接続される。一方のインバータ回路の入力ノードをノードＮＳ、出力ノードをノードＮＳＢとすると、ノードＮＳおよびノードＮＳＢにおいて相補データが保持される。
【０１２７】信号ＳＥＮおよび信号ＳＥＰは、センスアンプ回路５１を活性化するためのセンスアンプイネーブル信号であり、レファレンス電位Ｖｒｅｆは、読み出し判定電位である。センスアンプ回路５１は、レファレンス電位Ｖｒｅｆを基準に、活性化された時点のノードＮＳＢの電位が、ハイレベルであるか、ローレベルであるかを判定する。
【０１２８】ＡＮＤ回路５２は、ノードＮＳと、書き込みビット線ＷＢＬとの導通状態を制御する。また、アナログスイッチ５３は、ノードＮＳＢと、読み出しビット線ＲＢＬとの導通状態を制御し、アナログスイッチ５４は、ノードＮＳと、レファレンス電位Ｖｒｅｆを供給する配線との導通状態を制御する。
【０１２９】すなわち、読み出しビット線ＲＢＬの電位はアナログスイッチ５３によってノードＮＳＢに伝えられ、読み出しビット線ＲＢＬの電位がレファレンス電位Ｖｒｅｆより低くなると、センスアンプ回路５１は、読み出しビット線ＲＢＬはローレベルであると判定する。また、読み出しビット線ＲＢＬの電位がレファレンス電位Ｖｒｅｆより低くならない場合、センスアンプ回路５１は、読み出しビット線ＲＢＬはハイレベルであると判定する。
【０１３０】信号ＷＳＥＬは、書き込み選択信号であり、ＡＮＤ回路５２を制御する。信号ＲＳＥＬ［３：０］は、読み出し選択信号であり、アナログスイッチ５３およびアナログスイッチ５４を制御する。
【０１３１】＜＜出力ＭＵＸ回路＞＞
トランジスタ６２およびトランジスタ６３は、出力ＭＵＸ回路１３５を構成する。信号ＧＲＳＥＬ［３：０］は、グローバル読み出し選択信号であり、出力ＭＵＸ回路１３５を制御する。出力ＭＵＸ回路１３５は、１２８本の読み出しビット線ＲＢＬから、データを読み出す３２本の読み出しビット線ＲＢＬを選択する機能を有する。出力ＭＵＸ回路１３５は、１２８入力３２出力のマルチプレクサとして機能する。
【０１３２】出力ＭＵＸ回路１３５は、センスアンプ回路１３４から、データＤＯＵＴ［３１：０］を読み出し、ページバッファ１３８に出力する。
【０１３３】＜＜書き込みドライバ回路＞＞
トランジスタ６４乃至トランジスタ６６は、書き込みドライバ回路１３６を構成する。信号ＧＷＳＥＬ［１５：０］は、グローバル書き込み選択信号であり、書き込みドライバ回路１３６を制御する。書き込みドライバ回路１３６は、データＤＩＮ［３１：０］をセンスアンプ回路１３４に書き込む機能を有する。
【０１３４】書き込みドライバ回路１３６は、データＤＩＮ［３１：０］を書き込む列を選択する機能を有する。書き込みドライバ回路１３６は、信号ＧＷＳＥＬ［１５：０］に従い、バイト単位、ハーフワード単位、または、１ワード単位のデータ書き込みを行う。
【０１３５】回路５０は、４列ごとに、データＤＩＮ［ｈ］（ｈは０以上３１以下の整数）と電気的に接続される。また、回路５０は、４列ごとに、データＤＯＵＴ［ｈ］と電気的に接続される。
【０１３６】＜メモリセルの動作例＞
図７は、メモリセル１１２の動作例を説明するタイミングチャートである。図７では、メモリセル１１２の書き込み動作および読み出し動作における、書き込みワード線ＷＷＬ、読み出しワード線ＲＷＬ、読み出しビット線ＲＢＬ、および、書き込みビット線ＷＢＬの電位関係について説明する。また、配線ＢＧ２を、ワード線ドライバ回路１２２またはワード線ドライバ回路１２３を用いて駆動する場合についても、後ほど説明する。
【０１３７】図７において、期間Ｔｗｒｉｔｅは、書き込み動作を行う期間であり、期間Ｔｒｅａｄは、読み出し動作を行う期間である。また、読み出しワード線ＲＷＬ、読み出しビット線ＲＢＬ、および、書き込みビット線ＷＢＬのハイレベルは電位Ｖｄｄであり、ローレベルは電位Ｖｓｓである。書き込みワード線ＷＷＬのハイレベルは電位Ｖｄｈであり、書き込みワード線ＷＷＬのローレベルは電位Ｖｓｓである。
【０１３８】＜＜書き込み動作＞＞
期間Ｔｗｒｉｔｅにおいて、書き込みビット線ＷＢＬには、書き込むデータに対応する電位Ｖｄａｔａが印加される。書き込みビット線ＷＢＬに書き込むデータに対応する電位Ｖｄａｔａが印加された状態で、データを書き込むメモリセル１１２が配置されている行の書き込みワード線ＷＷＬに電位Ｖｄｈが印加されると、トランジスタ１１が導通状態となり、書き込むデータに対応する電位ＶｄａｔａがノードＮ１１に書き込まれる。
【０１３９】また、期間Ｔｗｒｉｔｅにおいて、読み出しワード線ＲＷＬおよび読み出しビット線ＲＢＬには、電位Ｖｄｄが印加される。
【０１４０】＜＜読み出し動作＞＞
期間Ｔｒｅａｄにおいて、読み出しビット線ＲＢＬには、電位Ｖｄｄがプリチャージされている。読み出しビット線ＲＢＬがフローティングの状態で、データを読み出すメモリセル１１２が配置されている行の読み出しワード線ＲＷＬに電位Ｖｓｓが印加されると、ノードＮ１１に書き込まれたデータがハイレベルの場合、トランジスタ１２が導通状態となり、読み出しビット線ＲＢＬの電位が下がり始める。
【０１４１】読み出しビット線ＲＢＬの電位がΔＶ１下がり、レファレンス電位Ｖｒｅｆより低くなると、センスアンプ回路５１は、読み出しビット線ＲＢＬはローレベルであると判定する。
【０１４２】また、読み出しビット線ＲＢＬがフローティングの状態で、データを読み出すメモリセル１１２が配置されている行の読み出しワード線ＲＷＬに電位Ｖｓｓが印加されても、ノードＮ１１に書き込まれたデータがローレベルの場合、トランジスタＭ１２が導通状態とならないため、読み出しビット線ＲＢＬの電位は変化しない。この場合、センスアンプ回路５１は、読み出しビット線ＲＢＬはハイレベルであると判定する。
【０１４３】期間Ｔｒｅａｄにおいて、書き込みビット線ＷＢＬおよび書き込みワード線ＷＷＬには、電位Ｖｓｓが印加される。
【０１４４】配線ＢＧ２を、ワード線ドライバ回路１２２またはワード線ドライバ回路１２３を用いて駆動する場合、例えば、配線ＢＧ２のハイレベルを電位Ｖｄｈ、配線ＢＧ２のローレベルを電位Ｖｓｓとすることができる。
【０１４５】期間Ｔｗｒｉｔｅにおいて、配線ＢＧ２には電位Ｖｓｓが印加され、期間Ｔｒｅａｄにおいて、データを読み出すメモリセル１１２が配置されている行の配線ＢＧ２には電位Ｖｄｈが印加される。
【０１４６】配線ＢＧ２に、電位Ｖｄｈが印加されることで、データを読み出すメモリセル１１２が有するトランジスタ１２のオン電流を増加することができる。また、配線ＢＧ２に、電位Ｖｓｓが印加されることで、トランジスタ１２のオフ電流を低減することができる。
【０１４７】上述のように、記憶装置１０は、ｎチャネル型のトランジスタで構成されたゲインセル型のメモリセルを有し、書き込みワード線ＷＷＬ、読み出しワード線ＲＷＬ、書き込みビット線ＷＢＬ、および、読み出しビット線ＲＢＬは、３種類の電位（電位Ｖｓｓ、電位Ｖｄｄ、および、電位Ｖｄｈ）によって、ハイレベルまたはローレベルが表される。すなわち、少ない電源数で記憶装置１０を動作させることができ、記憶装置１０を搭載する電子機器のコストを低減することができる。
【０１４８】ゲインセル型のメモリセルは、１メモリセルあたり少なくとも２つのトランジスタが必要であり、単位面積あたりに配置できるメモリセルの数を増やすことが難しかったが、メモリセル１１２を構成するトランジスタにＯＳトランジスタを用いることで、メモリセルアレイ１１１を、周辺回路１０１を形成した半導体基板ＳＵＢ上に複数積層して設けることができる。すなわち、単位面積あたりに記憶できるデータ量を増やすことができる。
【０１４９】また、ゲインセル型のメモリセルは、電荷を蓄積する容量が小さい場合でも、蓄積した電荷を直近のトランジスタで増幅することで、メモリとしての動作を行うことができる。さらに、オフ電流が非常に小さいＯＳトランジスタを、メモリセル１１２を構成するトランジスタに用いることで、容量素子Ｃ１１の容量を小さくできる。または、容量素子Ｃ１１として、トランジスタのゲート容量や配線の寄生容量等を利用することができ、容量素子Ｃ１１を省略することができる。すなわち、メモリセル１１２の面積を小さくできる。
【０１５０】なお、本実施の形態は、本明細書に記載する他の実施の形態と適宜組み合わせて実施することができる。
【０１５１】（実施の形態２）
以下では、上記実施の形態に係る記憶装置の一例について、図８Ａ、図８Ｂ、図９Ａ、図９Ｂ、図１０乃至図１３を用いて説明する。まず、当該記憶装置を構成するメモリセルの構成例について説明する。
【０１５２】＜メモリセルの構成例＞
図８Ａおよび図８Ｂに、本発明の一態様に係る記憶装置を構成するメモリセル８６０の構造を示す。図８Ａは、メモリセル８６０周辺の上面図である。また、図８Ｂは、メモリセル８６０の断面図であり、図８Ｂは、図８ＡにＡ１−Ａ２の一点鎖線で示す部位に対応する。図８Ｂにおいて、トランジスタ６００のチャネル長方向の断面と、トランジスタ７００のチャネル幅方向の断面を示す。なお、図８Ａの上面図では、図の明瞭化のために一部の要素を省いている。なお、図８Ａに示す、Ｘ方向、Ｙ方向、およびＺ方向は、それぞれが互いに直交または交差する方向である。ここで、Ｘ方向およびＹ方向は基板面に対して平行または概略平行であり、Ｚ方向は基板面に対して垂直または概略垂直であることが好ましい。
【０１５３】本実施の形態に示す、メモリセル８６０は、トランジスタ６００、トランジスタ７００、および容量素子６５５を有する。メモリセル８６０は、先の実施の形態に示すメモリセル１１２と対応しており、トランジスタ６００、トランジスタ７００、および容量素子６５５は、それぞれ、先の実施の形態に示す、トランジスタ１１、トランジスタ１２、容量素子Ｃ１１と対応する。よって、トランジスタ６００のソースおよびドレインの一方と、トランジスタ７００のゲートと、容量素子６５５の電極の一方は電気的に接続されている。
【０１５４】図８Ａ、図８Ｂに示すように、メモリセル８６０では、絶縁体６１４上にトランジスタ６００およびトランジスタ７００が配置され、また、トランジスタ６００およびトランジスタ７００の一部の上に絶縁体６８０が配置され、トランジスタ６００、トランジスタ７００および絶縁体６８０の上に絶縁体６８２が配置され、絶縁体６８２の上に絶縁体６８５が配置され、絶縁体６８５の上に容量素子６５５が配置され、容量素子６５５の上に絶縁体６８８が配置される。絶縁体６１４、絶縁体６８０、絶縁体６８２、絶縁体６８５、および絶縁体６８８は、層間膜として機能する。
【０１５５】ここで、トランジスタ６００は、絶縁体６１４上の絶縁体６１６と、絶縁体６１６に埋め込まれるように配置された導電体６０５（導電体６０５ａ、および導電体６０５ｂ）と、絶縁体６１６上、および導電体６０５上の絶縁体６２２と、絶縁体６２２上の絶縁体６２４と、絶縁体６２４上の酸化物６３０ａと、酸化物６３０ａ上の酸化物６３０ｂと、酸化物６３０ｂ上の酸化物６４３ａおよび酸化物６４３ｂと、酸化物６４３ａ上の導電体６４２ａと、酸化物６４３ｂ上の導電体６４２ｂと、絶縁体６２４の一部、酸化物６３０ａの側面、酸化物６３０ｂの側面、酸化物６４３ａの側面、導電体６４２ａの側面、導電体６４２ａの上面、酸化物６４３ｂの側面、導電体６４２ｂの側面、および導電体６４２ｂの上面とそれぞれ接する絶縁体６７２と、絶縁体６７２上の絶縁体６７３と、酸化物６３０ｂ上の酸化物６３０ｃと、酸化物６３０ｃ上の絶縁体６５０と、絶縁体６５０上に位置し、酸化物６３０ｃと重なる導電体６６０（導電体６６０ａ、および導電体６６０ｂ）と、を有する。また、酸化物６３０ｃは、酸化物６４３ａの側面、酸化物６４３ｂの側面、導電体６４２ａの側面および導電体６４２ｂの側面とそれぞれ接する。ここで、図８Ｂに示すように、導電体６６０の上面は、絶縁体６５０の上面、酸化物６３０ｃの上面、および絶縁体６８０の上面と略一致して配置される。また、絶縁体６８２は、導電体６６０、絶縁体６５０、酸化物６３０ｃ、および絶縁体６８０のそれぞれの上面と接する。
【０１５６】なお、以下において、酸化物６３０ａ、酸化物６３０ｂ、および酸化物６３０ｃをまとめて酸化物６３０と呼ぶ場合がある。また、酸化物６４３ａと酸化物６４３ｂをまとめて酸化物６４３と呼ぶ場合がある。また、導電体６４２ａと導電体６４２ｂをまとめて導電体６４２と呼ぶ場合がある。
【０１５７】トランジスタ６００において、導電体６６０は、ゲートとして機能し、導電体６４２ａおよび導電体６４２ｂは、それぞれソースまたはドレインとして機能する。また、導電体６０５は、バックゲートとして機能する。トランジスタ６００は、ゲートとして機能する導電体６６０が、絶縁体６８０などによって形成される開口を埋めるように自己整合的に形成される。このように、本実施の形態に係る記憶装置では、位置合わせをせずに、導電体６６０を導電体６４２ａと導電体６４２ｂの間の領域に確実に配置することができる。
【０１５８】また、トランジスタ７００は、絶縁体６１４上の絶縁体６１６と、絶縁体６１６に埋め込まれるように配置された導電体７０５（導電体７０５ａ、および導電体７０５ｂ）と、絶縁体６１６上、および導電体７０５上の絶縁体６２２と、絶縁体６２２上の絶縁体６２４と、絶縁体６２４上の酸化物７３０ａと、酸化物７３０ａ上の酸化物７３０ｂと、酸化物７３０ｂ上の酸化物７４３ａおよび酸化物７４３ｂと、酸化物７４３ａ上の導電体７４２ａと、酸化物７４３ｂ上の導電体７４２ｂと、絶縁体６２４の一部、酸化物７３０ａの側面、酸化物７３０ｂの側面、酸化物７４３ａの側面、導電体７４２ａの側面、導電体７４２ａの上面、酸化物７４３ｂの側面、導電体７４２ｂの側面、および導電体７４２ｂの上面とそれぞれ接する絶縁体６７２と、絶縁体６７２上の絶縁体６７３と、酸化物７３０ｂ上の酸化物７３０ｃと、酸化物７３０ｃ上の絶縁体７５０と、絶縁体７５０上に位置し、酸化物７３０ｃと重なる導電体７６０（導電体７６０ａ、および導電体７６０ｂ）と、を有する。また、酸化物７３０ｃは、酸化物７４３ａの側面、酸化物７４３ｂの側面、導電体７４２ａの側面および導電体７４２ｂの側面とそれぞれ接する。ここで、図８Ｂに示すように、導電体７６０の上面は、絶縁体７５０の上面、酸化物７３０ｃの上面、および絶縁体６８０の上面と略一致して配置される。また、絶縁体６８２は、導電体７６０、絶縁体７５０、酸化物７３０ｃ、および絶縁体６８０のそれぞれの上面と接する。
【０１５９】また、以下において、酸化物７３０ａ、酸化物７３０ｂ、および酸化物７３０ｃをまとめて酸化物７３０と呼ぶ場合がある。また、酸化物７４３ａと酸化物７４３ｂをまとめて酸化物７４３と呼ぶ場合がある。また、導電体７４２ａと導電体７４２ｂをまとめて導電体７４２と呼ぶ場合がある。
【０１６０】トランジスタ７００において、導電体７６０は、ゲートとして機能し、導電体７４２ａおよび導電体７４２ｂは、それぞれソースまたはドレインとして機能する。また、導電体７０５は、バックゲートとして機能する。トランジスタ７００は、ゲートとして機能する導電体７６０が、絶縁体６８０などによって形成される開口を埋めるように自己整合的に形成される。このように、本実施の形態に係る記憶装置では、位置合わせをせずに、導電体７６０を導電体７４２ａと導電体７４２ｂの間の領域に確実に配置することができる。
【０１６１】ここで、トランジスタ７００は、トランジスタ６００と同じ層に形成され、同様の構成を有する。よって、トランジスタ７００のチャネル長方向の断面は図示されていないが、図８Ｂに示すトランジスタ６００のチャネル長方向の断面と同様の構造を有する。つまり、断面図において図示されていない、酸化物７４３と導電体７４２も、図８Ｂに示す、酸化物６４３と導電体６４２と同様の構造を有する。なお、トランジスタ６００のチャネル幅方向の断面は図示されていないが、図８Ｂに示すトランジスタ７００のチャネル幅方向の断面と同様の構造を有する。
【０１６２】よって、酸化物７３０は、酸化物６３０と同様の構成を有し、酸化物６３０の記載を参酌することができる。導電体７０５は、導電体６０５と同様の構成を有し、導電体６０５の記載を参酌することができる。酸化物７４３は、酸化物６４３と同様の構成を有し、酸化物６４３の記載を参酌することができる。導電体７４２は、導電体６４２と同様の構成を有し、導電体６４２の記載を参酌することができる。絶縁体７５０は、絶縁体６５０と同様の構成を有し、絶縁体６５０の記載を参酌することができる。導電体７６０は、導電体６６０と同様の構成を有し、導電体６６０の記載を参酌することができる。以下において、特段の記載がない限り、上記のようにトランジスタ７００の構成は、トランジスタ６００の構成の記載を参酌することができる。
【０１６３】ここで、トランジスタ６００およびトランジスタ７００は、チャネル形成領域を含む酸化物６３０および酸化物７３０に、酸化物半導体として機能する金属酸化物（以下、酸化物半導体ともいう）を用いることが好ましい。
【０１６４】例えば、酸化物半導体として機能する金属酸化物は、エネルギーギャップが２ｅＶ以上、好ましくは２．５ｅＶ以上のものを用いることが好ましい。エネルギーギャップの大きい金属酸化物を用いることで、トランジスタ６００の非導通状態におけるリーク電流（オフ電流）を極めて小さくすることができる。
【０１６５】酸化物半導体として、例えば、Ｉｎ−Ｍ−Ｚｎ酸化物（元素Ｍは、アルミニウム、ガリウム、イットリウム、錫、銅、バナジウム、ベリリウム、ホウ素、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種）等の金属酸化物を用いるとよい。特に、元素Ｍは、アルミニウム、ガリウム、イットリウム、または錫を用いるとよい。また、酸化物半導体として、Ｉｎ−Ｍ酸化物、Ｉｎ−Ｚｎ酸化物、またはＭ−Ｚｎ酸化物を用いてもよい。
【０１６６】チャネル形成領域に酸化物半導体を用いたトランジスタ６００およびトランジスタ７００は、非導通状態におけるリーク電流（オフ電流）が極めて小さいため、低消費電力の記憶装置を提供できる。また、トランジスタ６００およびトランジスタ７００は、高温環境下でもオフ電流がほとんど増加しない。具体的には室温以上２００℃以下の環境温度下でもオフ電流がほとんど増加しない。よって、高温環境下においても動作が安定し、信頼性の良好な記憶装置を実現できる。
【０１６７】トランジスタ６００のオフ電流が極めて小さいので、容量素子６５５の容量値を小さく設定することができる。これにより、メモリセル８６０の占有面積を小さくし、記憶装置の集積化を図ることができる。
【０１６８】図８Ａに示すように、導電体７４２ａ、導電体６６０、導電体６０５、および導電体７０５は、Ｙ方向に延在していることが好ましい。このような構造にすることで、導電体７４２ａは、先の実施の形態に示す読み出しワード線ＲＷＬとして機能する。また、導電体６６０は、先の実施の形態に示す書き込みワード線ＷＷＬとして機能する。また、導電体６０５は、先の実施の形態に示す配線ＢＧ１として機能する。また、導電体７０５は、先の実施の形態に示す配線ＢＧ２として機能する。
【０１６９】容量素子６５５は、絶縁体６８５上の導電体６４６ａと、導電体６４６ａを覆う絶縁体６８６と、導電体６４６ａの少なくとも一部と重畳して絶縁体６８６上に配置される導電体６５６と、を有する。ここで、導電体６４６ａは、容量素子６５５の一方の電極として機能し、導電体６５６は、容量素子６５５の他方の電極として機能する。また、絶縁体６８６は容量素子６５５の誘電体として機能する。
【０１７０】また、導電体６５６は、Ｙ方向に延在させて、先の実施の形態に示すプレート線ＰＬとして機能させることが好ましい。
【０１７１】また、絶縁体６７２、絶縁体６７３、絶縁体６８０、絶縁体６８２、および絶縁体６８５に開口が形成されており、プラグとして機能する導電体６４０（導電体６４０ａ、導電体６４０ｂ、導電体６４０ｃ、および導電体６４０ｄ）が当該開口に埋め込まれるように設けられる。また、導電体６４０は、絶縁体６８５の上面に露出して設けられる。
【０１７２】導電体６４０ａは、下面が導電体６４２ａに接し、上面が導電体６４６ａに接する。導電体６４０ｃは、下面が導電体７６０に接し、上面が導電体６４６ａに接する。このようにして、トランジスタ６００のソースおよびドレインの一方と、トランジスタ７００のゲートと、容量素子６５５の電極の一方は電気的に接続される。
【０１７３】導電体６４０ｂは、下面が導電体６４２ｂに接して設けられる。また、導電体６４０ｂの上面に接して導電体６４６ｂが設けられる。導電体６４６ｂは導電体６４６ａと同じ層に形成され、同様の構成を有する。図８Ａに示すように、導電体６４６ｂはＸ方向に延在していることが好ましい。このような構造にすることで、導電体６４６ｂは、先の実施の形態に示す書き込みビット線ＷＢＬとして機能する。
【０１７４】また、断面図に図示していないが、導電体６４０ｄは、下面が導電体７４２ｂに接して設けられる。また、導電体６４０ｄの上面に接して導電体７４６が設けられる。導電体７４６は導電体６４６ａと同じ層に形成され、同様の構成を有する。図８Ａに示すように、導電体７４６はＸ方向に延在していることが好ましい。このような構造にすることで、導電体７４６は、先の実施の形態に示す読み出しビット線ＲＢＬとして機能する。
【０１７５】図８Ｂに示すように、トランジスタ６００とトランジスタ７００を同じ層に形成することで、トランジスタ６００とトランジスタ７００を同じ工程で形成することができるので、記憶装置製造の工程を短縮し、生産性を向上させることができる。
【０１７６】なお、メモリセル８６０において、トランジスタ６００のチャネル長方向とトランジスタ７００のチャネル幅方向が平行になるように、トランジスタ６００、トランジスタ７００および容量素子６５５を設けているが、本実施の形態に示す記憶装置はこれに限られるものではない。図８等に示すメモリセル８６０は、記憶装置の構成の一例であり、回路構成や駆動方法に応じて、適切な構造のトランジスタまたは容量素子などを、適宜配置すればよい。
【０１７７】［メモリセルの詳細な構成］
以下では、本発明の一態様に係るメモリセル８６０の詳細な構成について説明する。以下において、トランジスタ７００の構成要素は、トランジスタ６００の構成要素の記載を参酌できるものとする。
【０１７８】図８に示すように、酸化物６３０は、絶縁体６２４上の酸化物６３０ａと、酸化物６３０ａ上の酸化物６３０ｂと、酸化物６３０ｂ上に配置され、少なくとも一部が酸化物６３０ｂの上面に接する酸化物６３０ｃと、を有することが好ましい。ここで、酸化物６３０ｃの側面は、酸化物６４３ａ、酸化物６４３ｂ、導電体６４２ａ、導電体６４２ｂ、絶縁体６７２、絶縁体６７３、および絶縁体６８０に接して設けられていることが好ましい。
【０１７９】  酸化物６３０ｂ下に酸化物６３０ａを有することで、酸化物６３０ａよりも下方に形成された構造物から、酸化物６３０ｂへの不純物の拡散を抑制することができる。また、酸化物６３０ｂ上に酸化物６３０ｃを有することで、酸化物６３０ｃよりも上方に形成された構造物から、酸化物６３０ｂへの不純物の拡散を抑制することができる。
【０１８０】なお、トランジスタ６００では、チャネル形成領域と、その近傍において、酸化物６３０ａ、酸化物６３０ｂ、および酸化物６３０ｃの３層を積層する構成について示しているが、本発明はこれに限られるものではない。例えば、酸化物６３０ｂの単層、酸化物６３０ｂと酸化物６３０ａの２層構造、酸化物６３０ｂと酸化物６３０ｃの２層構造、または４層以上の積層構造を設ける構成にしてもよい。例えば、酸化物６３０ｃを２層構造にして、４層の積層構造を設ける構成にしてもよい。
【０１８１】また、酸化物６３０は、各金属原子の原子数比が異なる複数の酸化物層の積層構造を有することが好ましい。具体的には、酸化物６３０ａに用いる金属酸化物において、構成元素中の元素Ｍの原子数比が、酸化物６３０ｂに用いる金属酸化物における、構成元素中の元素Ｍの原子数比より、大きいことが好ましい。また、酸化物６３０ａに用いる金属酸化物において、Ｉｎに対する元素Ｍの原子数比が、酸化物６３０ｂに用いる金属酸化物における、Ｉｎに対する元素Ｍの原子数比より大きいことが好ましい。また、酸化物６３０ｂに用いる金属酸化物において、元素Ｍに対するＩｎの原子数比が、酸化物６３０ａに用いる金属酸化物における、元素Ｍに対するＩｎの原子数比より大きいことが好ましい。また、酸化物６３０ｃは、酸化物６３０ａまたは酸化物６３０ｂに用いることができる金属酸化物を、用いることができる。なお、酸化物６３０ｃに用いる金属酸化物において、元素Ｍに対するＩｎの原子数比が、酸化物６３０ｂに用いる金属酸化物における、元素Ｍに対するＩｎの原子数比より大きくなってもよい。
【０１８２】具体的には、例えば元素Ｍにガリウムを用いた場合、酸化物６３０ａとして、Ｉｎ：Ｇａ：Ｚｎ＝１：３：４［原子数比］もしくはその近傍の組成、または１：１：０．５［原子数比］もしくはその近傍の組成の金属酸化物を用いればよい。
【０１８３】また、酸化物６３０ｂとして、Ｉｎ：Ｇａ：Ｚｎ＝４：２：３［原子数比］もしくはその近傍の組成、または１：１：１［原子数比］もしくはその近傍の組成の金属酸化物を用いればよい。また、酸化物６３０ｂとして、Ｉｎ：Ｇａ：Ｚｎ＝５：１：３［原子数比］もしくはその近傍の組成、またはＩｎ：Ｇａ：Ｚｎ＝１０：１：３［原子数比］もしくはその近傍の組成の金属酸化物を用いてもよい。また、酸化物６３０ｂとして、Ｉｎ−Ｚｎ酸化物（例えば、Ｉｎ：Ｚｎ＝２：１［原子数比］もしくはその近傍の組成、Ｉｎ：Ｚｎ＝５：１［原子数比］もしくはその近傍の組成、またはＩｎ：Ｚｎ＝１０：１［原子数比］もしくはその近傍の組成）を用いてもよい。また、酸化物６３０ｂとして、Ｉｎ酸化物を用いても良い。
【０１８４】また、酸化物６３０ｃとして、Ｉｎ：Ｇａ：Ｚｎ＝１：３：４［原子数比もしくはその近傍の組成］、Ｇａ：Ｚｎ＝２：１［原子数比］もしくはその近傍の組成、またはＧａ：Ｚｎ＝２：５［原子数比］もしくはその近傍の組成の金属酸化物を用いればよい。また、酸化物６３０ｃに、酸化物６３０ｂに用いることのできる材料を適用し、単層または積層で設けてもよい。例えば、酸化物６３０ｃを積層構造とする場合の具体例としては、Ｉｎ：Ｇａ：Ｚｎ＝４：２：３［原子数比］もしくはその近傍の組成と、Ｉｎ：Ｇａ：Ｚｎ＝１：３：４［原子数比］もしくはその近傍の組成との積層構造、Ｇａ：Ｚｎ＝２：１［原子数比］もしくはその近傍の組成と、Ｉｎ：Ｇａ：Ｚｎ＝４：２：３［原子数比］もしくはその近傍の組成との積層構造、Ｇａ：Ｚｎ＝２：５［原子数比］もしくはその近傍の組成と、Ｉｎ：Ｇａ：Ｚｎ＝４：２：３［原子数比］もしくはその近傍の組成との積層構造、酸化ガリウムと、Ｉｎ：Ｇａ：Ｚｎ＝４：２：３［原子数比］もしくはその近傍の組成との積層構造などが挙げられる。
【０１８５】また、酸化物６３０ｂ、６３０ｃとして、膜中のインジウムの比率を高めることで、トランジスタのオン電流、または電界効果移動度などを高めることが出来るため、好適である。また、上述した近傍の組成とは、所望の原子数比の±３０％の範囲を含む。
【０１８６】また、酸化物６３０ｂは、結晶性を有していてもよい。例えば、後述するＣＡＡＣ−ＯＳ（ｃ−ａｘｉｓ  ａｌｉｇｎｅｄ  ｃｒｙｓｔａｌｌｉｎｅ  ｏｘｉｄｅ  ｓｅｍｉｃｏｎｄｕｃｔｏｒ）を用いることが好ましい。ＣＡＡＣ−ＯＳなどの結晶性を有する酸化物は、不純物や欠陥（酸素欠損など）が少なく、結晶性の高い、緻密な構造を有している。よって、ソース電極またはドレイン電極による、酸化物６３０ｂからの酸素の引き抜きを抑制することができる。また、加熱処理を行っても、酸化物６３０ｂから酸素が、引き抜かれることを低減できるので、トランジスタ６００は、製造工程における高い温度（所謂サーマルバジェット）に対して安定である。
【０１８７】また、酸化物６３０ｃは、絶縁体６８０を含む層間膜に設けた開口内に設けられることが好ましい。従って、絶縁体６５０、および導電体６６０は、酸化物６３０ｃを介して、酸化物６３０ｂ、および酸化物６３０ａの積層構造と重畳する領域を有する。当該構造とすることで、酸化物６３０ｃと絶縁体６５０とを連続成膜により、形成することが可能となるため、酸化物６３０と絶縁体６５０との界面を清浄に保つことができる。従って、界面散乱によるキャリア伝導への影響が小さくなり、トランジスタ６００は高いオン電流、および高い周波数特性を得ることができる。
【０１８８】酸化物６３０（例えば、酸化物６３０ｂ）には、キャリア濃度の低い酸化物半導体を用いることが好ましい。酸化物半導体のキャリア濃度を低くする場合においては、酸化物半導体中の不純物濃度を低くし、欠陥準位密度を低くすればよい。本明細書等において、不純物濃度が低く、欠陥準位密度の低いことを高純度真性または実質的に高純度真性という。なお、酸化物半導体中の不純物としては、例えば、水素、窒素、アルカリ金属、アルカリ土類金属、鉄、ニッケル、シリコン等がある。
【０１８９】特に、酸化物半導体に含まれる水素は、金属原子と結合する酸素と反応して水になるため、酸化物半導体中に酸素欠損（ＶＯ：ｏｘｙｇｅｎ  ｖａｃａｎｃｙともいう）を形成する場合がある。さらに、酸素欠損に水素が入った欠陥（以下、ＶＯＨと呼ぶ場合がある）はドナーとして機能し、キャリアである電子が生成されることがある。また、水素の一部が金属原子と結合する酸素と結合して、キャリアである電子を生成する場合がある。従って、水素が多く含まれている酸化物半導体を用いたトランジスタは、ノーマリーオン特性となりやすい。また、酸化物半導体中の水素は、熱、電界などのストレスによって動きやすいため、酸化物半導体に多くの水素が含まれると、トランジスタの信頼性が悪化する恐れもある。
【０１９０】ＶＯＨは、酸化物半導体のドナーとして機能しうる。しかしながら、当該欠陥を定量的に評価することは困難である。そこで、酸化物半導体においては、ドナー濃度ではなく、キャリア濃度で評価される場合がある。よって、本明細書等では、酸化物半導体のパラメータとして、ドナー濃度ではなく、電界が印加されない状態を想定したキャリア濃度を用いる場合がある。つまり、本明細書等に記載の「キャリア濃度」は、「ドナー濃度」と言い換えることができる場合がある。
【０１９１】以上より、酸化物半導体を酸化物６３０に用いる場合、酸化物６３０中のＶＯＨをできる限り低減し、高純度真性または実質的に高純度真性にすることが好ましい。このように、ＶＯＨが十分低減された酸化物半導体を得るには、酸化物半導体中の水分、水素などの不純物を除去すること（脱水処理、脱水素化処理と記載する場合がある）と、酸化物半導体に酸素を供給して酸素欠損を補填すること（加酸素化処理と記載する場合がある）が好ましい。ＶＯＨなどの不純物が十分に低減された酸化物半導体をトランジスタのチャネル形成領域に用いることで、安定した電気特性を付与することができる。
【０１９２】例えば、酸化物６３０ｂの二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とすることができる。水素などの不純物が十分に低減された酸化物６３０をトランジスタ６００のチャネル形成領域に用いることで、ノーマリーオフ特性にすることができ、安定した電気特性を有するとともに、信頼性を向上させることができる。
【０１９３】また、酸化物６３０に酸化物半導体を用いる場合、チャネル形成領域として機能する領域の酸化物半導体のキャリア濃度は、１×１０１８ｃｍ−３以下であることが好ましく、１×１０１７ｃｍ−３未満であることがより好ましく、１×１０１６ｃｍ−３未満であることがさらに好ましく、１×１０１３ｃｍ−３未満であることがさらに好ましく、１×１０１２ｃｍ−３未満であることがさらに好ましい。なお、チャネル形成領域として機能する領域の酸化物半導体のキャリア濃度の下限値については、特に限定は無いが、例えば、１×１０−９ｃｍ−３とすることができる。
【０１９４】そこで、絶縁体６１４、絶縁体６２２、絶縁体６７２、絶縁体６７３、および絶縁体６８２として、不純物の拡散を抑制する材料（以下、不純物に対するバリア性材料ともいう）を用いて、水素などの不純物が酸化物６３０に拡散するのを低減することが好ましい。なお、本明細書等において、バリア性とは、対応する物質の拡散を抑制する機能（透過性が低いともいう）とする。または、対応する物質を、捕獲、および固着する（ゲッタリングともいう）機能とする。また、本明細書等において、バリア性を有する絶縁膜をバリア絶縁膜と呼ぶ場合がある。
【０１９５】例えば、水素、および酸素に対する拡散を抑制する機能を有する材料として、酸化アルミニウム、酸化ハフニウム、酸化ガリウム、インジウムガリウム亜鉛酸化物、窒化シリコン、または窒化酸化シリコンなどがある。特に、窒化シリコンまたは窒化酸化シリコンは、水素に対するバリア性が高いため、封止する材質として用いることが好ましい。
【０１９６】また、例えば、水素を捕獲、および固着する機能を有する材料として、酸化アルミニウム、酸化ハフニウム、酸化ガリウム、インジウムガリウム亜鉛酸化物、などの金属酸化物がある。
【０１９７】例えば、絶縁体６１４として、酸化アルミニウムまたは酸化ハフニウムなどを用いることが好ましい。これにより、水または水素などの不純物が、基板側からトランジスタ６００側に拡散するのを抑制することができる。または、絶縁体６２４などに含まれる酸素が、基板側に拡散するのを抑制することができる。
【０１９８】導電体６０５は、酸化物６３０、および導電体６６０と、重なるように配置する。また、導電体６０５は、絶縁体６１６に埋め込まれて設けることが好ましい。
【０１９９】導電体６０５がゲート電極として機能する場合、導電体６０５に印加する電位を、導電体６６０に印加する電位と、連動させず、独立して変化させることで、トランジスタ６００のしきい値電圧（Ｖｔｈ）を制御することができる。特に、導電体６０５に負の電位を印加することにより、トランジスタ６００のＶｔｈをより大きくし、オフ電流を低減することが可能となる。したがって、導電体６０５に負の電位を印加したほうが、印加しない場合よりも、導電体６６０に印加する電位が０Ｖのときのドレイン電流を小さくすることができる。
【０２００】なお、導電体６０５は、図８Ａに示すように、酸化物６３０の導電体６４２ａおよび導電体６４２ｂと重ならない領域の大きさよりも、大きく設けるとよい。特に、図８Ｂに示すように、導電体６０５は、酸化物６３０のチャネル幅方向と交わる端部よりも外側の領域においても、延伸していることが好ましい。つまり、酸化物６３０のチャネル幅方向における側面の外側において、導電体６０５と、導電体６６０とは、絶縁体を介して重畳していることが好ましい。または、導電体６０５を大きく設けることによって、導電体６０５形成以降の作製工程のプラズマを用いた処理において、局所的なチャージング（チャージアップと言う）の緩和ができる場合がある。ただし、本発明の一態様はこれに限定されない。導電体６０５は、少なくとも導電体６４２ａと、導電体６４２ｂとの間に位置する酸化物６３０と重畳すればよい。
【０２０１】また、絶縁体６２４の底面を基準として、酸化物６３０ａおよび酸化物６３０ｂと、導電体６６０とが、重ならない領域における導電体６６０の底面の高さは、酸化物６３０ｂの底面の高さより低い位置に配置されていることが好ましい。
【０２０２】図に示すように、ゲートとして機能する導電体６６０は、チャネル形成領域の酸化物６３０ｂの側面および上面を酸化物６３０ｃおよび絶縁体６５０を介して覆う構造とすることにより、導電体６６０から生じる電界を、酸化物６３０ｂに生じるチャネル形成領域全体に作用させやすくなる。従って、トランジスタ６００のオン電流を増大させ、周波数特性を向上させることができる。本明細書において、第１のゲート、および第２のゲートの電界によって、チャネル形成領域を電気的に取り囲むトランジスタの構造を、ｓｕｒｒｏｕｎｄｅｄ  ｃｈａｎｎｅｌ（Ｓ−ｃｈａｎｎｅｌ）構造とよぶ。
【０２０３】また、導電体６０５ａは、水または水素などの不純物および酸素の透過を抑制する導電体が好ましい。例えば、チタン、窒化チタン、タンタル、または窒化タンタルを用いることができる。また、導電体６０５ｂは、タングステン、銅、またはアルミニウムを主成分とする導電性材料を用いることが好ましい。なお、導電体６０５を２層で図示したが、３層以上の多層構造としてもよい。
【０２０４】また、絶縁体６１６、絶縁体６８０、絶縁体６８５、および絶縁体６８８は、絶縁体６１４よりも誘電率が低いことが好ましい。誘電率が低い材料を層間膜とすることで、配線間に生じる寄生容量を低減することができる。例えば、絶縁体６１６、絶縁体６８０、絶縁体６８５、および絶縁体６８８として、酸化シリコン、酸化窒化シリコン、窒化酸化シリコン、窒化シリコン、フッ素を添加した酸化シリコン、炭素を添加した酸化シリコン、炭素および窒素を添加した酸化シリコン、または空孔を有する酸化シリコンなどを適宜用いればよい。
【０２０５】また、絶縁体６１６、絶縁体６８０、絶縁体６８５、および絶縁体６８８は、水素原子を含まない、または水素原子の含有量が少ない、化合物ガスを用いてＣＶＤ法またはＡＬＤ法により成膜してもよい。
【０２０６】上記絶縁膜の成膜では、成膜ガスとして、シリコン原子を含む分子を有するガスが主に用いられる。上記絶縁膜に含まれる水素を低減するには、当該シリコン原子を含む分子に含まれる水素原子が少ないことが好ましく、当該シリコン原子を含む分子が水素原子を含まないことがより好ましい。もちろん、シリコン原子を含む分子を有するガス以外の成膜ガスも、含有される水素原子が少ないことが好ましく、水素原子を含まないことがより好ましい。
【０２０７】上記のようなシリコン原子を含む分子をＳｉｘ−Ｒｙで表すと、例えば、官能基Ｒとして、イソシアネート基（−Ｎ＝Ｃ＝Ｏ）、シアネート基（−Ｏ−Ｃ≡Ｎ）、シアノ基（−Ｃ≡Ｎ）、ジアゾ基（＝Ｎ２）、アジド基（−Ｎ３）、ニトロソ基（−ＮＯ）、およびニトロ基（−ＮＯ２）の少なくとも一つを用いることができる。例えば、１≦ｘ≦３、１≦ｙ≦８、とすればよい。このようなシリコン原子を含む分子としては、例えば、テトライソシアネートシラン、テトラシアネートシラン、テトラシアノシラン、ヘキサイソシアネートシラン、オクタイソシアネートシラン等を用いることができる。ここでは、シリコン原子に同じ種類の官能基が結合する分子を例示したが、本実施の形態はこれに限られるものではない。シリコン原子に異なる種類の官能基が結合する構成にしてもよい。
【０２０８】また、例えば、官能基Ｒとしてハロゲン（塩素、臭素、ヨウ素、またはフッ素）を用いる構成にしてもよい。例えば、１≦ｘ≦２、１≦ｙ≦６、とすればよい。このようなシリコン原子を含む分子としては、例えば、テトラクロロシラン（ＳｉＣｌ４）、ヘキサクロロジシラン（Ｓｉ２Ｃｌ６）等を用いることができる。塩素を官能基とする例を示したが、塩素以外の、臭素、ヨウ素、フッ素等のハロゲンを官能基として用いてもよい。また、シリコン原子に異なる種類のハロゲンが結合する構成にしてもよい。
【０２０９】絶縁体６２２、および絶縁体６２４は、ゲート絶縁体としての機能を有する。
【０２１０】ここで、酸化物６３０と接する絶縁体６２４は、加熱により酸素を脱離することが好ましい。本明細書では、加熱により離脱する酸素を過剰酸素と呼ぶことがある。例えば、絶縁体６２４は、酸化シリコンまたは酸化窒化シリコンなどを適宜用いればよい。酸素を含む絶縁体を酸化物６３０に接して設けることにより、酸化物６３０中の酸素欠損を低減し、トランジスタ６００の信頼性を向上させることができる。
【０２１１】絶縁体６２４として、具体的には、加熱により一部の酸素が脱離する酸化物材料を用いることが好ましい。加熱により酸素を脱離する酸化物とは、昇温脱離ガス分析（ＴＤＳ（Ｔｈｅｒｍａｌ  Ｄｅｓｏｒｐｔｉｏｎ  Ｓｐｅｃｔｒｏｓｃｏｐｙ）分析）にて、酸素分子の脱離量が１．０×１０１８ｍｏｌｅｃｕｌｅｓ／ｃｍ３以上、好ましくは１．０×１０１９ｍｏｌｅｃｕｌｅｓ／ｃｍ３以上、さらに好ましくは２．０×１０１９ｍｏｌｅｃｕｌｅｓ／ｃｍ３以上、または３．０×１０２０ｍｏｌｅｃｕｌｅｓ／ｃｍ３以上である酸化物膜である。なお、上記ＴＤＳ分析時における膜の表面温度としては１００℃以上７００℃以下、または１００℃以上４００℃以下の範囲が好ましい。
【０２１２】絶縁体６２２は、水または水素などの不純物が、基板側からトランジスタ６００に混入するのを抑制するバリア絶縁膜として機能することが好ましい。例えば、絶縁体６２２は、絶縁体６２４より水素透過性が低いことが好ましい。絶縁体６２２および絶縁体６７２等によって、絶縁体６２４および酸化物６３０などを囲むことにより、外方から水または水素などの不純物がトランジスタ６００に侵入することを抑制することができる。
【０２１３】さらに、絶縁体６２２は、酸素（例えば、酸素原子、酸素分子などの少なくとも一つ）の拡散を抑制する機能を有する（上記酸素が透過しにくい）ことが好ましい。例えば、絶縁体６２２は、絶縁体６２４より酸素透過性が低いことが好ましい。絶縁体６２２が、酸素や不純物の拡散を抑制する機能を有することで、酸化物６３０が有する酸素が、絶縁体６２２より下側へ拡散することを低減できるので、好ましい。また、導電体６０５が、絶縁体６２４や、酸化物６３０が有する酸素と反応することを抑制することができる。
【０２１４】絶縁体６２２は、絶縁性材料であるアルミニウムおよびハフニウムの一方または双方の酸化物を含む絶縁体を用いるとよい。アルミニウムおよびハフニウムの一方または双方の酸化物を含む絶縁体として、酸化アルミニウム、酸化ハフニウム、アルミニウムおよびハフニウムを含む酸化物（ハフニウムアルミネート）などを用いることが好ましい。このような材料を用いて絶縁体６２２を形成した場合、絶縁体６２２は、酸化物６３０からの酸素の放出や、トランジスタ６００の周辺部から酸化物６３０への水素等の不純物の混入を抑制する層として機能する。
【０２１５】または、これらの絶縁体に、例えば、酸化アルミニウム、酸化ビスマス、酸化ゲルマニウム、酸化ニオブ、酸化シリコン、酸化チタン、酸化タングステン、酸化イットリウム、酸化ジルコニウムを添加してもよい。または、これらの絶縁体を窒化処理してもよい。上記の絶縁体に酸化シリコン、酸化窒化シリコンまたは窒化シリコンを積層して用いてもよい。
【０２１６】また、絶縁体６２２は、例えば、酸化アルミニウム、酸化ハフニウム、酸化タンタル、酸化ジルコニウム、チタン酸ジルコン酸鉛（ＰＺＴ）、チタン酸ストロンチウム（ＳｒＴｉＯ３）または（Ｂａ，Ｓｒ）ＴｉＯ３（ＢＳＴ）などのいわゆるｈｉｇｈ−ｋ材料を含む絶縁体を単層または積層で用いてもよい。例えば、絶縁体６２２を積層とする場合、酸化ジルコニウムと、酸化アルミニウムと、酸化ジルコニウムと、が順に形成された３層積層や、酸化ジルコニウムと、酸化アルミニウムと、酸化ジルコニウムと、酸化アルミニウムと、が順に形成された４層積層などを用いれば良い。また、絶縁体６２２としては、ハフニウムと、ジルコニウムとが含まれる化合物などを用いても良い。トランジスタの微細化、および高集積化が進むと、ゲート絶縁体の薄膜化により、リーク電流などの問題が生じる場合がある。ゲート絶縁体として機能する絶縁体にｈｉｇｈ−ｋ材料を用いることで、物理膜厚を保ちながら、トランジスタ動作時のゲート電位の低減が可能となる。
【０２１７】なお、絶縁体６２２、および絶縁体６２４が、２層以上の積層構造を有していてもよい。その場合、同じ材料からなる積層構造に限定されず、異なる材料からなる積層構造でもよい。
【０２１８】また、酸化物６３０ｂと、ソース電極またはドレイン電極として機能する導電体６４２（導電体６４２ａおよび導電体６４２ｂ）と、の間に酸化物６４３（酸化物６４３ａおよび酸化物６４３ｂ）を配置してもよい。導電体６４２と、酸化物６３０とが接しない構成となるので、導電体６４２が、酸化物６３０の酸素を吸収することを抑制できる。つまり、導電体６４２の酸化を防止することで、導電体６４２の導電率の低下を抑制することができる。従って、酸化物６４３は、導電体６４２の酸化を抑制する機能を有することが好ましい。
【０２１９】従って、酸化物６４３は、酸素の透過を抑制する機能を有することが好ましい。ソース電極やドレイン電極として機能する導電体６４２と酸化物６３０ｂとの間に酸素の透過を抑制する機能を有する酸化物６４３を配置することで、導電体６４２と、酸化物６３０ｂとの間の電気抵抗が低減されるので好ましい。このような構成とすることで、トランジスタ６００の電気特性およびトランジスタ６００の信頼性を向上させることができる。
【０２２０】酸化物６４３として、元素Ｍを有する金属酸化物を用いてもよい。特に、元素Ｍは、アルミニウム、ガリウム、イットリウム、または錫を用いるとよい。酸化物６４３は、酸化物６３０ｂよりも元素Ｍの濃度が高いことが好ましい。また、酸化物６４３として、酸化ガリウムを用いてもよい。また、酸化物６４３として、Ｉｎ−Ｍ−Ｚｎ酸化物等の金属酸化物を用いてもよい。具体的には、酸化物６４３に用いる金属酸化物において、Ｉｎに対する元素Ｍの原子数比が、酸化物６３０ｂに用いる金属酸化物における、Ｉｎに対する元素Ｍの原子数比より大きいことが好ましい。また、酸化物６４３の膜厚は、０．５ｎｍ以上５ｎｍ以下が好ましく、より好ましくは、１ｎｍ以上３ｎｍ以下である。また、酸化物６４３は、結晶性を有すると好ましい。酸化物６４３が結晶性を有する場合、酸化物６３０中の酸素の放出を好適に抑制することが出来る。例えば、酸化物６４３としては、六方晶などの結晶構造であれば、酸化物６３０中の酸素の放出を抑制できる場合がある。
【０２２１】なお、酸化物６４３は必ずしも設けなくてもよい。その場合、導電体６４２（導電体６４２ａ、および導電体６４２ｂ）と酸化物６３０とが接することで、酸化物６３０中の酸素が導電体６４２へ拡散し、導電体６４２が酸化する場合がある。導電体６４２が酸化することで、導電体６４２の導電率が低下する蓋然性が高い。なお、酸化物６３０中の酸素が導電体６４２へ拡散することを、導電体６４２が酸化物６３０中の酸素を吸収する、と言い換えることができる。
【０２２２】また、酸化物６３０中の酸素が導電体６４２（導電体６４２ａ、および導電体６４２ｂ）へ拡散することで、導電体６４２ａと酸化物６３０ｂとの間、および、導電体６４２ｂと酸化物６３０ｂとの間に異層が形成される場合がある。当該異層は、導電体６４２よりも酸素を多く含むため、当該異層は絶縁性を有すると推定される。このとき、導電体６４２と、当該異層と、酸化物６３０ｂとの３層構造は、金属−絶縁体−半導体からなる３層構造とみなすことができ、ＭＩＳ（Ｍｅｔａｌ−Ｉｎｓｕｌａｔｏｒ−Ｓｅｍｉｃｏｎｄｕｃｔｏｒ）構造と呼ぶ、またはＭＩＳ構造を主としたダイオード接合構造と呼ぶ場合がある。
【０２２３】なお、上記異層は、導電体６４２と酸化物６３０ｂとの間に形成されることに限られず、例えば、異層が、導電体６４２と酸化物６３０ｃとの間に形成される場合や、導電体６４２と酸化物６３０ｂとの間、および導電体６４２と酸化物６３０ｃとの間に形成される場合がある。
【０２２４】酸化物６４３上には、ソース電極、およびドレイン電極として機能する導電体６４２（導電体６４２ａ、および導電体６４２ｂ）が設けられる。導電体６４２の膜厚は、例えば、１ｎｍ以上５０ｎｍ以下、好ましくは２ｎｍ以上２５ｎｍ以下、とすればよい。
【０２２５】導電体６４２としては、アルミニウム、クロム、銅、銀、金、白金、タンタル、ニッケル、チタン、モリブデン、タングステン、ハフニウム、バナジウム、ニオブ、マンガン、マグネシウム、ジルコニウム、ベリリウム、インジウム、ルテニウム、イリジウム、ストロンチウム、ランタンから選ばれた金属元素、または上述した金属元素を成分とする合金か、上述した金属元素を組み合わせた合金等を用いることが好ましい。例えば、窒化タンタル、窒化チタン、タングステン、チタンとアルミニウムを含む窒化物、タンタルとアルミニウムを含む窒化物、酸化ルテニウム、窒化ルテニウム、ストロンチウムとルテニウムを含む酸化物、ランタンとニッケルを含む酸化物などを用いることが好ましい。また、窒化タンタル、窒化チタン、チタンとアルミニウムを含む窒化物、タンタルとアルミニウムを含む窒化物、酸化ルテニウム、窒化ルテニウム、ストロンチウムとルテニウムを含む酸化物、ランタンとニッケルを含む酸化物は、酸化しにくい導電性材料、または、酸素を吸収しても導電性を維持する材料であるため、好ましい。
【０２２６】絶縁体６７２は、導電体６４２上面に接して設けられており、バリア絶縁膜として機能することが好ましい。また、絶縁体６７２上に、バリア絶縁膜として機能する絶縁体６７３を設けることが好ましい。このような構成にすることで、導電体６４２による、絶縁体６８０が有する過剰酸素の吸収を抑制することができる。また、導電体６４２の酸化を抑制することで、トランジスタ６００と配線とのコンタクト抵抗の増加を抑制することができる。よって、トランジスタ６００に良好な電気特性および信頼性を与えることができる。
【０２２７】従って、絶縁体６７２および絶縁体６７３は、酸素の拡散を抑制する機能を有することが好ましい。例えば、絶縁体６７２は、絶縁体６８０よりも酸素の拡散を抑制する機能を有することが好ましい。絶縁体６７２としては、例えば、アルミニウムおよびハフニウムの一方または双方の酸化物を含む絶縁体を成膜するとよい。絶縁体６７３としては、例えば、窒化シリコンまたは窒化酸化シリコンなどを用いればよい。
【０２２８】また、水または水素などの不純物が、絶縁体６７２および絶縁体６７３を介して配置されている絶縁体６８０などからトランジスタ６００側に拡散するのを抑制することができる。このように、トランジスタ６００を、水または水素などの不純物、および酸素の拡散を抑制する機能を有する絶縁体６７２、および絶縁体６７３で取り囲む構造とすることが好ましい。
【０２２９】絶縁体６５０は、ゲート絶縁体として機能する。絶縁体６５０は、酸化物６３０ｃの上面に接して配置することが好ましい。絶縁体６５０は、酸化シリコン、酸化窒化シリコン、窒化酸化シリコン、窒化シリコン、フッ素を添加した酸化シリコン、炭素を添加した酸化シリコン、炭素および窒素を添加した酸化シリコン、空孔を有する酸化シリコンを用いることができる。特に、酸化シリコン、および酸化窒化シリコンは熱に対し安定であるため好ましい。
【０２３０】絶縁体６２４と同様に、絶縁体６５０は、加熱により酸素が放出される絶縁体を用いて形成することが好ましい。加熱により酸素が放出される絶縁体を、絶縁体６５０として、酸化物６３０ｃの上面に接して設けることにより、酸化物６３０ｂのチャネル形成領域に効果的に酸素を供給することができる。また、絶縁体６２４と同様に、絶縁体６５０中の水または水素などの不純物濃度が低減されていることが好ましい。絶縁体６５０の膜厚は、１ｎｍ以上２０ｎｍ以下とするのが好ましい。
【０２３１】また、絶縁体６５０と導電体６６０との間に金属酸化物を設けてもよい。当該金属酸化物は、絶縁体６５０から導電体６６０への酸素拡散を抑制することが好ましい。酸素の拡散を抑制する金属酸化物を設けることで、絶縁体６５０から導電体６６０への酸素の拡散が抑制される。つまり、酸化物６３０へ供給する酸素量の減少を抑制することができる。また、絶縁体６５０の酸素による導電体６６０の酸化を抑制することができる。
【０２３２】また、当該金属酸化物は、ゲート絶縁体の一部としての機能を有する場合がある。したがって、絶縁体６５０に酸化シリコンや酸化窒化シリコンなどを用いる場合、当該金属酸化物は、比誘電率が高いｈｉｇｈ−ｋ材料である金属酸化物を用いることが好ましい。ゲート絶縁体を、絶縁体６５０と当該金属酸化物との積層構造とすることで、熱に対して安定、かつ比誘電率の高い積層構造とすることができる。したがって、ゲート絶縁体の物理膜厚を保持したまま、トランジスタ動作時に印加するゲート電位の低減化が可能となる。また、ゲート絶縁体として機能する絶縁体の等価酸化膜厚（ＥＯＴ）の薄膜化が可能となる。
【０２３３】具体的には、ハフニウム、アルミニウム、ガリウム、イットリウム、ジルコニウム、タングステン、チタン、タンタル、ニッケル、ゲルマニウム、または、マグネシウムなどから選ばれた一種、または二種以上が含まれた金属酸化物を用いることができる。特に、アルミニウム、またはハフニウムの一方または双方の酸化物を含む絶縁体である、酸化アルミニウム、酸化ハフニウム、アルミニウムおよびハフニウムを含む酸化物（ハフニウムアルミネート）などを用いることが好ましい。
【０２３４】または、当該金属酸化物は、ゲートの一部としての機能を有する場合がある。この場合は、酸素を含む導電性材料をチャネル形成領域側に設けるとよい。酸素を含む導電性材料をチャネル形成領域側に設けることで、当該導電性材料から離脱した酸素がチャネル形成領域に供給されやすくなる。
【０２３５】特に、ゲートとして機能する導電体として、チャネルが形成される金属酸化物に含まれる金属元素および酸素を含む導電性材料を用いることが好ましい。また、前述した金属元素および窒素を含む導電性材料を用いてもよい。また、インジウム錫酸化物、酸化タングステンを含むインジウム酸化物、酸化タングステンを含むインジウム亜鉛酸化物、酸化チタンを含むインジウム酸化物、酸化チタンを含むインジウム錫酸化物、インジウム亜鉛酸化物、シリコンを添加したインジウム錫酸化物を用いてもよい。また、窒素を含むインジウムガリウム亜鉛酸化物を用いてもよい。このような材料を用いることで、チャネルが形成される金属酸化物に含まれる水素を捕獲することができる場合がある。または、外方の絶縁体などから混入する水素を捕獲することができる場合がある。
【０２３６】導電体６６０は、底面および側面が絶縁体６５０に接して配置される。導電体６６０は、図８では２層構造として示しているが、単層構造でもよいし、３層以上の積層構造であってもよい。
【０２３７】導電体６６０ａは、水素原子、水素分子、水分子、窒素原子、窒素分子、酸化窒素分子（Ｎ２Ｏ、ＮＯ、ＮＯ２など）、銅原子などの不純物の拡散を抑制する機能を有する導電性材料を用いることが好ましい。または、酸素（例えば、酸素原子、酸素分子などの少なくとも一つ）の拡散を抑制する機能を有する導電性材料を用いることが好ましい。
【０２３８】また、導電体６６０ａが酸素の拡散を抑制する機能を持つことにより、絶縁体６５０に含まれる酸素により、導電体６６０ｂが酸化して導電率が低下することを抑制することができる。酸素の拡散を抑制する機能を有する導電性材料としては、例えば、タンタル、窒化タンタル、ルテニウム、または酸化ルテニウムなどを用いることが好ましい。
【０２３９】また、導電体６６０ｂは、タングステン、銅、またはアルミニウムを主成分とする導電性材料を用いることが好ましい。また、導電体６６０は、配線としても機能するため、導電体６６０ｂに導電性が高い導電体を用いることが好ましい。例えば、タングステン、銅、またはアルミニウムを主成分とする導電性材料を用いることができる。また、導電体６６０ｂは積層構造としてもよく、例えば、チタン又は窒化チタンと上記導電性材料との積層構造としてもよい。
【０２４０】絶縁体６８０は、例えば、酸化シリコン、酸化窒化シリコン、窒化酸化シリコン、フッ素を添加した酸化シリコン、炭素を添加した酸化シリコン、炭素および窒素を添加した酸化シリコン、または空孔を有する酸化シリコンなどを用いることが好ましい。特に、酸化シリコンおよび酸化窒化シリコンは、熱的に安定であるため好ましい。特に、酸化シリコン、酸化窒化シリコン、空孔を有する酸化シリコンなどの材料は、加熱により脱離する酸素を含む領域を容易に形成することができるため好ましい。また、絶縁体６８０は、上記の材料が積層された構造でもよく、例えば、スパッタリング法で成膜した酸化シリコンと、その上に積層されたＣＶＤ法で成膜された酸化窒化シリコンの積層構造とすればよい。また、さらに上に窒化シリコンを積層してもよい。
【０２４１】ここで、絶縁体６８０は、過剰酸素を有することが好ましい。例えば、絶縁体６８０は、酸化シリコンまたは酸化窒化シリコンなどを適宜用いればよい。過剰酸素を含む絶縁体６８０を酸化物６３０に接して設けることにより、酸化物６３０中の酸素欠損を低減し、トランジスタ６００の信頼性を向上させることができる。絶縁体６８０に過剰酸素を含ませるには、例えば、絶縁体６８２の成膜を、酸素を含む雰囲気でスパッタリング法を用いて行えばよい。スパッタリング法を用いて、酸素を含む雰囲気で絶縁体６８２の成膜を行うことで、成膜しながら、絶縁体６８０に酸素を添加することができる。
【０２４２】絶縁体６８０中の水または水素などの不純物濃度が低減されていることが好ましい。また、絶縁体６８０の上面は、平坦化されていてもよい。
【０２４３】絶縁体６８２は、水または水素などの不純物が、上方から絶縁体６８０に混入するのを抑制するバリア絶縁膜として機能することが好ましい。また、絶縁体６８２は、酸素の透過を抑制するバリア絶縁膜として機能することが好ましい。絶縁体６８２としては、例えば、酸化アルミニウム、窒化シリコン、または窒化酸化シリコンなどの絶縁体を用いればよい。例えば、絶縁体６８２として、酸素に対してバリア性が高い酸化アルミニウムを用いればよい。
【０２４４】図８Ｂに示すように、絶縁体６８２は、酸化物６３０ｃに直接接する構造となっている。当該構造とすることで、絶縁体６８０に含まれる酸素の導電体６６０への拡散を抑制することができる。従って、絶縁体６８０に含まれる酸素は、酸化物６３０ｃを介して、酸化物６３０ａおよび酸化物６３０ｂへ効率よく供給することができるので、酸化物６３０ａ中および酸化物６３０ｂ中の酸素欠損を低減し、トランジスタ６００の電気特性および信頼性を向上させることができる。
【０２４５】また、絶縁体６８２の上に、層間膜として機能する絶縁体６８５を設けることが好ましい。絶縁体６８５は、絶縁体６２４などと同様に、膜中の水または水素などの不純物濃度が低減されていることが好ましい。
【０２４６】導電体６４０は、タングステン、銅、またはアルミニウムを主成分とする導電性材料を用いることが好ましい。また、導電体６４０は積層構造としてもよい。なお、図８Ａで導電体６４０は、上面視において円形状にしているが、これに限られるものではない。例えば、導電体６４０が、上面視において、楕円などの略円形状、四角形などの多角形状、四角形等の多角形の角部を丸めた形状になっていてもよい。
【０２４７】また、導電体６４０を積層構造とする場合、水または水素などの不純物、および酸素の透過を抑制する機能を有する導電性材料を用いることが好ましい。例えば、タンタル、窒化タンタル、チタン、窒化チタン、ルテニウム、または酸化ルテニウムなどを用いることが好ましい。また、水または水素などの不純物、および酸素の透過を抑制する機能を有する導電性材料は、単層または積層で用いてもよい。当該導電性材料を用いることで、絶縁体６８０などから拡散する水または水素などの不純物が、導電体６４０を通じて酸化物６３０に混入するのをさらに低減することができる。また、絶縁体６８０に添加された酸素が導電体６４０に吸収されるのを防ぐことができる。
【０２４８】また、導電体６４０ａの上面、および導電体６４０ｃの上面に接して導電体６４６ａが配置され、導電体６４０ｂの上面に接して導電体６４６ｂが配置され、導電体６４０ｄの上面に接して導電体７４６が配置される。導電体６４６ａ、導電体６４６ｂ、および導電体７４６は、タングステン、銅、またはアルミニウムを主成分とする導電性材料を用いることが好ましい。また、導電体６４６ａ、導電体６４６ｂ、および導電体７４６は、積層構造としてもよく、例えば、チタン又は窒化チタンと上記導電性材料との積層としてもよい。なお、当該導電体は、絶縁体に設けられた開口に埋め込むように形成してもよい。
【０２４９】絶縁体６８５、導電体６４６ａ、導電体６４６ｂ、および導電体７４６を覆って、絶縁体６８６が設けられる。絶縁体６８６は、例えば、酸化シリコン、酸化窒化シリコン、窒化酸化シリコン、窒化シリコン、酸化アルミニウム、酸化窒化アルミニウム、窒化酸化アルミニウム、窒化アルミニウム、酸化ハフニウム、酸化窒化ハフニウム、窒化酸化ハフニウム、窒化ハフニウム、酸化ジルコニウムなどを用いればよく、積層または単層で設けることができる。
【０２５０】例えば、絶縁体６８６には、酸化窒化シリコンなどの絶縁耐力が大きい材料と、高誘電率（ｈｉｇｈ−ｋ）材料との積層構造を用いてもよい。当該構成により、容量素子６５５は、高誘電率（ｈｉｇｈ−ｋ）の絶縁体を有することで、十分な容量を確保でき、絶縁耐力が大きい絶縁体を有することで、絶縁耐力が向上し、容量素子６５５の静電破壊を抑制することができる。
【０２５１】なお、高誘電率（ｈｉｇｈ−ｋ）材料（高い比誘電率の材料）の絶縁体としては、酸化ガリウム、酸化ハフニウム、酸化ジルコニウム、アルミニウムおよびハフニウムを有する酸化物、アルミニウムおよびハフニウムを有する酸化窒化物、シリコンおよびハフニウムを有する酸化物、シリコンおよびハフニウムを有する酸化窒化物またはシリコンおよびハフニウムを有する窒化物などがある。
【０２５２】一方、絶縁耐力が大きい材料（低い比誘電率の材料）としては、酸化シリコン、酸化窒化シリコン、窒化酸化シリコン、窒化シリコン、フッ素を添加した酸化シリコン、炭素を添加した酸化シリコン、炭素および窒素を添加した酸化シリコン、空孔を有する酸化シリコンまたは樹脂などがある。
【０２５３】絶縁体６８６を介して導電体６４６ａの少なくとも一部と重畳するように導電体６５６が配置される。導電体６５６は、導電体６４６に用いることができる導電体を用いればよい。
【０２５４】また、絶縁体６８６および導電体６５６の上に、層間膜として機能する絶縁体６８８を設けることが好ましい。絶縁体６８８は、絶縁体６２４などと同様に、膜中の水または水素などの不純物濃度が低減されていることが好ましい。
【０２５５】＜＜メモリセルの変形例＞＞
以下では、図９を用いてメモリセルの変形例について説明する。図９Ａは、メモリセル８６０周辺の上面図である。また、図９Ｂは、メモリセル８６０の断面図であり、図９Ｂは、図９ＡにＡ１−Ａ２の一点鎖線で示す部位に対応する。図９Ｂにおいて、トランジスタ６９０のチャネル長方向の断面と、トランジスタ７９０のチャネル幅方向の断面を示す。なお、図９Ａの上面図では、図の明瞭化のために一部の要素を省いている。なお、図９Ａに示す、Ｘ方向、Ｙ方向、およびＺ方向は、それぞれが互いに直交または交差する方向である。ここで、Ｘ方向およびＹ方向は基板面に対して平行または概略平行であり、Ｚ方向は基板面に対して垂直または概略垂直であることが好ましい。
【０２５６】図９に示すメモリセル８６０は、トランジスタ６００およびトランジスタ７００の代わりに、トランジスタ６９０およびトランジスタ７９０が用いられている点において、図８に示すメモリセル８６０と異なる。ここで、トランジスタ７９０は、トランジスタ６９０と同じ層に形成され、同様の構成を有する。以下において、トランジスタ７９０の構成要素は、トランジスタ６９０の構成要素の記載を参酌できるものとする。
【０２５７】トランジスタ６９０は、酸化物６３０ｃが、絶縁体６８０、絶縁体６７２、絶縁体６７３、導電体６４２（導電体６４２ａ、導電体６４２ｂ）、及び酸化物６３０ｂに形成された開口部を沿うようにＵ字状（Ｕ−Ｓｈａｐｅ）に形成される点において、トランジスタ６００と異なる。
【０２５８】例えば、トランジスタのチャネル長を微細化（代表的には５ｎｍ以上６０ｎｍ未満、好ましくは１０ｎｍ以上３０ｎｍ以下）した場合に、トランジスタ６００が上記の構造を有することで、実効Ｌ長を長くすることができる。一例としては、導電体６４２ａと、導電体６４２ｂとの間の距離が２０ｎｍである場合、実効Ｌ長を４０ｎｍ以上６０ｎｍ以下と、導電体６４２ａと導電体６４２ｂとの間の距離、すなわち最小加工寸法よりも２倍以上３倍以下程度長くすることができる。したがって、図９に示すメモリセル８６０は、微細化に優れたトランジスタ６９０、トランジスタ７９０、および容量素子６５５を有する構造となる。
【０２５９】＜＜金属酸化物＞＞
酸化物６３０として、酸化物半導体として機能する金属酸化物を用いることが好ましい。以下では、本発明に係る酸化物６３０に適用可能な金属酸化物について説明する。
【０２６０】金属酸化物は、少なくともインジウムまたは亜鉛を含むことが好ましい。特に、インジウムおよび亜鉛を含むことが好ましい。また、それらに加えて、ガリウム、イットリウム、錫などが含まれていることが好ましい。また、ホウ素、チタン、鉄、ニッケル、ゲルマニウム、ジルコニウム、モリブデン、ランタン、セリウム、ネオジム、ハフニウム、タンタル、タングステン、マグネシウムなどから選ばれた一種、または複数種が含まれていてもよい。
【０２６１】ここでは、金属酸化物が、インジウム、元素Ｍおよび亜鉛を有するＩｎ−Ｍ−Ｚｎ酸化物である場合を考える。なお、元素Ｍは、アルミニウム、ガリウム、イットリウム、または錫とする。そのほかの元素Ｍに適用可能な元素としては、ホウ素、チタン、鉄、ニッケル、ゲルマニウム、ジルコニウム、モリブデン、ランタン、セリウム、ネオジム、ハフニウム、タンタル、タングステン、マグネシウムなどがある。ただし、元素Ｍとして、前述の元素を複数組み合わせても構わない場合がある。
【０２６２】なお、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【０２６３】酸化物半導体（金属酸化物）としては、ＣＡＣ−ＯＳ（Ｃｌｏｕｄ−Ａｌｉｇｎｅｄ  Ｃｏｍｐｏｓｉｔｅ  Ｏｘｉｄｅ  Ｓｅｍｉｃｏｎｄｕｃｔｏｒ）、ＣＡＡＣ−ＯＳ（ｃ−ａｘｉｓ  Ａｌｉｇｎｅｄ  Ｃｒｙｓｔａｌ  Ｏｘｉｄｅ  Ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）、および非晶質酸化物半導体などを用いることができる。これらの詳細については、後の実施の形態で説明する。
【０２６４】［不純物］
ここで、金属酸化物中における各不純物の影響について説明する。
【０２６５】酸化物半導体に不純物が混入すると、欠陥準位または酸素欠損が形成される場合がある。よって、酸化物半導体のチャネル形成領域に不純物が混入することで、酸化物半導体を用いたトランジスタの電気特性が変動しやすく、信頼性が悪くなる場合がある。また、チャネル形成領域に酸素欠損が含まれていると、トランジスタはノーマリーオン特性となりやすい。
【０２６６】また、上記欠陥準位には、トラップ準位が含まれる場合がある。金属酸化物のトラップ準位に捕獲された電荷は、消失するまでに要する時間が長く、あたかも固定電荷のように振る舞うことがある。そのため、トラップ準位密度の高い金属酸化物をチャネル形成領域に有するトランジスタは、電気特性が不安定となる場合がある。
【０２６７】また、酸化物半導体のチャネル形成領域に不純物が存在すると、チャネル形成領域の結晶性が低くなる場合がある、また、チャネル形成領域に接して設けられる酸化物の結晶性が低くなる場合がある。チャネル形成領域の結晶性が低いと、トランジスタの安定性または信頼性が悪化する傾向がある。また、チャネル形成領域に接して設けられる酸化物の結晶性が低いと、界面準位が形成され、トランジスタの安定性または信頼性が悪化する場合がある。
【０２６８】したがって、トランジスタの安定性または信頼性を向上させるには、酸化物半導体のチャネル形成領域およびその近傍の不純物濃度を低減することが有効である。不純物としては、水素、窒素、アルカリ金属、アルカリ土類金属、鉄、ニッケル、シリコン等がある。
【０２６９】具体的には、当該酸化物半導体のチャネル形成領域およびその近傍において、ＳＩＭＳにより得られる上記不純物の濃度を、１×１０１８ａｔｏｍｓ／ｃｍ３以下、好ましくは２×１０１６ａｔｏｍｓ／ｃｍ３以下にする。または、当該酸化物半導体のチャネル形成領域およびその近傍において、ＥＤＸを用いた元素分析により得られる上記不純物の濃度を、１．０ａｔｏｍｉｃ％以下にする。なお、当該酸化物半導体として元素Ｍを含む酸化物を用いる場合、当該酸化物半導体のチャネル形成領域およびその近傍において、元素Ｍに対する上記不純物の濃度比を、０．１０未満、好ましくは０．０５未満にする。ここで、上記濃度比を算出する際に用いる元素Ｍの濃度は、上記不純物の濃度を算出した領域と同じ領域の濃度でもよいし、当該酸化物半導体中の濃度でもよい。
【０２７０】また、不純物濃度を低減した金属酸化物は、欠陥準位密度が低いため、トラップ準位密度も低くなる場合がある。
【０２７１】また、金属酸化物中の酸素欠損に水素が入った場合、酸素欠損と水素とが結合しＶＯＨを形成する場合がある。ＶＯＨはドナーとして機能し、キャリアである電子が生成されることがある。また、水素の一部が金属原子と結合する酸素と結合して、キャリアである電子を生成する場合がある。
【０２７２】従って、水素が多く含まれている酸化物半導体を用いたトランジスタは、ノーマリーオン特性となりやすい。また、酸化物半導体中の水素は、熱、電界などのストレスによって動きやすいため、酸化物半導体に多くの水素が含まれると、トランジスタの信頼性が悪化する恐れもある。
【０２７３】つまり、金属酸化物中のＶＯＨをできる限り低減し、高純度真性または実質的に高純度真性にすることが好ましい。このように、ＶＯＨが十分低減された酸化物半導体を得るには、酸化物半導体中の水分、水素などの不純物を除去すること（脱水処理、脱水素化処理と記載する場合がある）と、酸化物半導体に酸素を供給して酸素欠損を補填すること（加酸素化処理と記載する場合がある）が重要である。ＶＯＨなどの不純物が十分に低減された酸化物半導体をトランジスタのチャネル形成領域に用いることで、安定した電気特性を付与することができる。
【０２７４】また、トランジスタには、キャリア濃度の低い酸化物半導体を用いることが好ましい。酸化物半導体のキャリア濃度を低くする場合においては、酸化物半導体中の不純物濃度を低くし、欠陥準位密度を低くすればよい。本明細書等において、不純物濃度が低く、欠陥準位密度の低いことを高純度真性または実質的に高純度真性という。なお、酸化物半導体中の不純物としては、例えば、水素、窒素、アルカリ金属、アルカリ土類金属、鉄、ニッケル、シリコン等がある。
【０２７５】特に、酸化物半導体に含まれる水素は、金属原子と結合する酸素と反応して水になるため、酸化物半導体中に酸素欠損を形成する場合がある。酸化物半導体中のチャネル形成領域に酸素欠損が含まれていると、トランジスタはノーマリーオン特性となる場合がある。さらに、酸素欠損に水素が入った欠陥はドナーとして機能し、キャリアである電子が生成されることがある。また、水素の一部が金属原子と結合する酸素と結合して、キャリアである電子を生成する場合がある。従って、水素が多く含まれている酸化物半導体を用いたトランジスタは、ノーマリーオン特性となりやすい。
【０２７６】酸素欠損に水素が入った欠陥（ＶＯＨ）は、酸化物半導体のドナーとして機能しうる。しかしながら、当該欠陥を定量的に評価することは困難である。そこで、酸化物半導体においては、ドナー濃度ではなく、キャリア濃度で評価される場合がある。よって、本明細書等では、酸化物半導体のパラメータとして、ドナー濃度ではなく、電界が印加されない状態を想定したキャリア濃度を用いる場合がある。つまり、本明細書等に記載の「キャリア濃度」は、「ドナー濃度」と言い換えることができる場合がある。
【０２７７】よって、酸化物半導体中の水素はできる限り低減されていることが好ましい。具体的には、酸化物半導体において、二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とする。水素などの不純物が十分に低減された酸化物半導体をトランジスタのチャネル形成領域に用いることで、安定した電気特性を付与することができる。
【０２７８】また、チャネル形成領域の酸化物半導体のキャリア濃度は、１×１０１８ｃｍ−３以下であることが好ましく、１×１０１７ｃｍ−３未満であることがより好ましく、１×１０１６ｃｍ−３未満であることがさらに好ましく、１×１０１３ｃｍ−３未満であることがさらに好ましく、１×１０１２ｃｍ−３未満であることがさらに好ましい。なお、チャネル形成領域の酸化物半導体のキャリア濃度の下限値については、特に限定は無いが、例えば、１×１０−９ｃｍ−３とすることができる。
【０２７９】本発明の一態様により、信頼性が良好な記憶装置または半導体装置を提供することができる。また、本発明の一態様により、良好な電気特性を有する記憶装置または半導体装置を提供することができる。また、本発明の一態様により、微細化または高集積化が可能な記憶装置または半導体装置を提供することができる。また、本発明の一態様により、低消費電力の記憶装置または半導体装置を提供することができる。
【０２８０】＜＜その他の半導体材料＞＞
酸化物６３０に用いることができる半導体材料は、上述の金属酸化物に限られない。酸化物６３０として、バンドギャップを有する半導体材料（ゼロギャップ半導体ではない半導体材料）を用いてもよい。例えば、シリコンなどの単体元素の半導体、ヒ化ガリウムなどの化合物半導体、半導体として機能する層状物質（原子層物質、２次元材料などともいう）などを半導体材料に用いることが好ましい。特に、半導体として機能する層状物質を半導体材料に用いると好適である。
【０２８１】ここで、本明細書等において、層状物質とは、層状の結晶構造を有する材料群の総称である。層状の結晶構造は、共有結合やイオン結合によって形成される層が、ファンデルワールス力のような、共有結合やイオン結合よりも弱い結合を介して積層している構造である。層状物質は、単位層内における電気伝導性が高く、つまり、２次元電気伝導性が高い。半導体として機能し、かつ、２次元電気伝導性の高い材料をチャネル形成領域に用いることで、オン電流の大きいトランジスタを提供することができる。
【０２８２】層状物質として、グラフェン、シリセン、カルコゲン化物などがある。カルコゲン化物は、カルコゲンを含む化合物である。また、カルコゲンは、第１６族に属する元素の総称であり、酸素、硫黄、セレン、テルル、ポロニウム、リバモリウムが含まれる。また、カルコゲン化物として、遷移金属カルコゲナイド、１３族カルコゲナイドなどが挙げられる。
【０２８３】酸化物６３０として、例えば、半導体として機能する遷移金属カルコゲナイドを用いることが好ましい。酸化物６３０として適用可能な遷移金属カルコゲナイドとして、具体的には、硫化モリブデン（代表的にはＭｏＳ２）、セレン化モリブデン（代表的にはＭｏＳｅ２）、モリブデンテルル（代表的にはＭｏＴｅ２）、硫化タングステン（代表的にはＷＳ２）、セレン化タングステン（代表的にはＷＳｅ２）、タングステンテルル（代表的にはＷＴｅ２）、硫化ハフニウム（代表的にはＨｆＳ２）、セレン化ハフニウム（代表的にはＨｆＳｅ２）、硫化ジルコニウム（代表的にはＺｒＳ２）、セレン化ジルコニウム（代表的にはＺｒＳｅ２）などが挙げられる。
【０２８４】＜メモリセル配置の構成例＞
次に、上述のメモリセル８６０の配置の一例について、図１０および図１１を用いて説明する。図１０および図１１に、上記メモリセル８６０を２×２×２個配置した、メモリセルブロックを示す。図１０は、メモリセルブロックの上面図である。また、図１１は、メモリセルブロックの断面図であり、図１１は、図１０にＢ１−Ｂ２の一点鎖線で示す部位に対応する。図１１において、トランジスタ６００のチャネル長方向の断面と、トランジスタ７００のチャネル幅方向の断面を示す。なお、図１０の上面図では、図の明瞭化のために一部の要素を省いている。なお、図１０に示す、Ｘ方向、Ｙ方向、およびＺ方向は、それぞれが互いに直交または交差する方向である。ここで、Ｘ方向およびＹ方向は基板面に対して平行または概略平行であり、Ｚ方向は基板面に対して垂直または概略垂直であることが好ましい。
【０２８５】図１０および図１１に示すメモリセルブロックにおいて、メモリセル８６０＿１のＸ方向に隣接してメモリセル８６０＿２が配置される。また、メモリセル８６０＿１、およびメモリセル８６０＿２のＹ方向に隣接してメモリセル８６０＿３、およびメモリセル８６０＿４が配置される。また、メモリセル８６０＿１、およびメモリセル８６０＿２のＺ方向に隣接してメモリセル８６０＿５、およびメモリセル８６０＿６が配置される。
【０２８６】図１０および図１１に示すように、メモリセル８６０＿１とメモリセル８６０＿２は、それぞれの構成要素を線対称に配置することができる。このとき、メモリセル８６０＿１のトランジスタ６００と、メモリセル８６０＿２のトランジスタ６００を、同一の酸化物６３０ａおよび酸化物６３０ｂを用いて形成してもよい。さらに、図１０および図１１に示すように、酸化物６４３ｂ、導電体６４２ｂ、導電体６４０ｂ、および導電体６４６ｂも、メモリセル８６０＿１のトランジスタ６００と、メモリセル８６０＿２のトランジスタ６００で、共通で用いることができる。このように、メモリセル８６０＿１とメモリセル８６０＿２に接続する配線等として機能する、酸化物６４３ｂ、導電体６４２ｂ、導電体６４０ｂ、および導電体６４６ｂを共通化することで、メモリセルの占有面積をさらに縮小することができる。
【０２８７】また、図１０に示すように、メモリセル８６０＿１とメモリセル８６０＿２で共通化された導電体６４６ｂは、Ｘ方向に延在して設けられている。このようにして書き込みビット線ＷＢＬをＸ方向に延在させることができる。また、図１０に示すように、メモリセル８６０＿１の導電体７４６は、メモリセル８６０＿２に延在して設けられている。このようにして読み出しビット線ＲＢＬをＸ方向に延在させることができる。
【０２８８】また、図１０に示すように、メモリセル８６０＿１の導電体６６０は、メモリセル８６０＿３に延在して設けられている。このようにして書き込みワード線ＷＷＬをＹ方向に延在させることができる。また、図１０に示すように、メモリセル８６０＿１の導電体７４２ａは、メモリセル８６０＿３に延在して設けられている。このようにして読み出しワード線ＲＷＬをＹ方向に延在させることができる。また、図１０に示すように、メモリセル８６０＿１の導電体６０５は、メモリセル８６０＿３に延在して設けられている。このようにして配線ＢＧ１をＹ方向に延在させることができる。また、図１０に示すように、メモリセル８６０＿１の導電体７０５は、メモリセル８６０＿３に延在して設けられている。このようにして配線ＢＧ２をＹ方向に延在させることができる。
【０２８９】なお、図１１に示すように、メモリセル８６０＿１およびメモリセル８６０＿２の上層には、メモリセル８６０＿１およびメモリセル８６０＿２と同様の構成を有する、メモリセル８６０＿５およびメモリセル８６０＿６を設けることができる。
【０２９０】なお、図１０では、導電体６６０に重ねて酸化物６３０ｃを延在させる構成にしているが、本実施の形態に示す記憶装置はこれに限られるものではない。例えば、酸化物６３０ｃをメモリセル８６０ごとにパターン形成して、酸化物６３０ｃをトランジスタ６００ごとに離隔して設ける構成にしてもよい。また、例えば、酸化物６３０ｃを２層の積層構造にする場合、酸化物６３０ｃの上層および下層のいずれか一方を、トランジスタ６００ごとに離隔して設ける構成にしてもよい。
【０２９１】＜記憶装置の構成例＞
次に、上述のメモリセル８６０を積層させた記憶装置の一例について、図１２を用いて説明する。図１２は、シリコン層８７１の上に、メモリセル８６０を含むメモリセル層８７０が複数積層された、記憶装置の断面図である。図１２に示す記憶装置は、図１等に示す記憶装置１０に対応しており、シリコン層８７１は層１００に対応し、メモリセル層８７０は層２００に対応する。
【０２９２】まず、シリコン層８７１について説明する。シリコン層８７１には複数のトランジスタ８００が設けられており、図２に示す周辺回路１０１（例えば、ビット線ドライバ回路１３２など）を構成している。
【０２９３】トランジスタ８００は、基板８１１上に設けられ、ゲートとして機能する導電体８１６、ゲート絶縁体として機能する絶縁体８１５、基板８１１の一部からなる半導体領域８１３、およびソース領域またはドレイン領域として機能する低抵抗領域８１４ａ、および低抵抗領域８１４ｂを有する。トランジスタ８００は、ｐチャネル型、あるいはｎチャネル型のいずれでもよい。
【０２９４】ここで、図１２に示すトランジスタ８００はチャネルが形成される半導体領域８１３（基板８１１の一部）が凸形状を有する。また、半導体領域８１３の側面および上面を、絶縁体８１５を介して、導電体８１６が覆うように設けられている。なお、導電体８１６は仕事関数を調整する材料を用いてもよい。このようなトランジスタ８００は半導体基板の凸部を利用していることからＦＩＮ型トランジスタとも呼ばれる。なお、凸部の上部に接して、凸部を形成するためのマスクとして機能する絶縁体を有していてもよい。また、ここでは半導体基板の一部を加工して凸部を形成する場合を示したが、ＳＯＩ基板を加工して凸形状を有する半導体膜を形成してもよい。
【０２９５】なお、図１２に示すトランジスタ８００は一例であり、その構造に限定されず、回路構成や駆動方法に応じて適切なトランジスタを用いればよい。
【０２９６】また、各構造体の間には、層間膜、配線、およびプラグ等が設けられた配線層が設けられていてもよい。また、配線層は、設計に応じて複数層設けることができる。ここで、プラグまたは配線としての機能を有する導電体は、複数の構造をまとめて同一の符号を付与する場合がある。また、本明細書等において、配線と、配線と電気的に接続するプラグとが一体物であってもよい。すなわち、導電体の一部が配線として機能する場合、および導電体の一部がプラグとして機能する場合もある。
【０２９７】例えば、トランジスタ８００上には、層間膜として、絶縁体８２０、絶縁体８２２、絶縁体８２４、および絶縁体８２６が順に積層して設けられている。また、絶縁体８２０、絶縁体８２２、絶縁体８２４、および絶縁体８２６には、プラグまたは配線として機能する導電体８２８、および導電体８３０等が埋め込まれている。
【０２９８】また、層間膜として機能する絶縁体は、その下方の凹凸形状を被覆する平坦化膜として機能してもよい。例えば、絶縁体８２２の上面は、平坦性を高めるために化学機械研磨（ＣＭＰ）法等を用いた平坦化処理により平坦化されていてもよい。
【０２９９】絶縁体８２６、および導電体８３０上に、配線層を設けてもよい。例えば、図１２において、絶縁体８５０、絶縁体８５２、及び絶縁体８５４が順に積層して設けられている。また、絶縁体８５０、絶縁体８５２、及び絶縁体８５４には、導電体８５６が形成されている。導電体８５６は、プラグ、または配線として機能する。
【０３００】層間膜として用いることができる絶縁体としては、絶縁性を有する酸化物、窒化物、酸化窒化物、窒化酸化物、金属酸化物、金属酸化窒化物、金属窒化酸化物などがある。
【０３０１】例えば、層間膜として機能する絶縁体には、比誘電率が低い材料を用いることで、配線間に生じる寄生容量を低減することができる。したがって、絶縁体の機能に応じて、材料を選択するとよい。
【０３０２】例えば、絶縁体８２０、絶縁体８２２、絶縁体８２６、絶縁体８５２、および絶縁体８５４等には、比誘電率の低い絶縁体を有することが好ましい。例えば、当該絶縁体は、窒化酸化シリコン、窒化シリコン、フッ素を添加した酸化シリコン、炭素を添加した酸化シリコン、炭素および窒素を添加した酸化シリコン、空孔を有する酸化シリコンまたは樹脂などを有することが好ましい。または、当該絶縁体は、酸化シリコン、酸化窒化シリコン、窒化酸化シリコン、窒化シリコン、フッ素を添加した酸化シリコン、炭素を添加した酸化シリコン、炭素および窒素を添加した酸化シリコンまたは空孔を有する酸化シリコンと、樹脂との積層構造を有することが好ましい。酸化シリコンおよび酸化窒化シリコンは、熱的に安定であるため、樹脂と組み合わせることで、熱的に安定かつ比誘電率の低い積層構造とすることができる。樹脂としては、例えば、ポリエステル、ポリオレフィン、ポリアミド（ナイロン、アラミドなど）、ポリイミド、ポリカーボネートまたはアクリルなどがある。
【０３０３】また、酸化物半導体を用いたトランジスタは、水素などの不純物および酸素の透過を抑制する機能を有する絶縁体で囲うことによって、トランジスタの電気特性を安定にすることができる。従って、絶縁体８２４および絶縁体８５０等には、水素などの不純物および酸素の透過を抑制する機能を有する絶縁体を用いればよい。
【０３０４】水素などの不純物および酸素の透過を抑制する機能を有する絶縁体としては、例えば、ホウ素、炭素、窒素、酸素、フッ素、マグネシウム、アルミニウム、シリコン、リン、塩素、アルゴン、ガリウム、ゲルマニウム、イットリウム、ジルコニウム、ランタン、ネオジム、ハフニウムまたはタンタルを含む絶縁体を、単層で、または積層で用いればよい。具体的には、水素などの不純物および酸素の透過を抑制する機能を有する絶縁体として、酸化アルミニウム、酸化マグネシウム、酸化ガリウム、酸化ゲルマニウム、酸化イットリウム、酸化ジルコニウム、酸化ランタン、酸化ネオジム、酸化ハフニウムまたは酸化タンタルなどの金属酸化物、窒化酸化シリコンまたは窒化シリコンなどを用いることができる。
【０３０５】配線、プラグに用いることができる導電体としては、アルミニウム、クロム、銅、銀、金、白金、タンタル、ニッケル、チタン、モリブデン、タングステン、ハフニウム、バナジウム、ニオブ、マンガン、マグネシウム、ジルコニウム、ベリリウム、インジウム、ルテニウムなどから選ばれた金属元素を１種以上含む材料を用いることができる。また、リン等の不純物元素を含有させた多結晶シリコンに代表される、電気伝導度が高い半導体、ニッケルシリサイドなどのシリサイドを用いてもよい。
【０３０６】例えば、導電体８２８、導電体８３０、および導電体８５６等としては、上記の材料で形成される金属材料、合金材料、金属窒化物材料、または金属酸化物材料などの導電性材料を、単層または積層して用いることができる。耐熱性と導電性を両立するタングステンやモリブデンなどの高融点材料を用いることが好ましく、タングステンを用いることが好ましい。または、アルミニウムや銅などの低抵抗導電性材料で形成することが好ましい。低抵抗導電性材料を用いることで配線抵抗を低くすることができる。
【０３０７】シリコン層８７１の上に、絶縁体６１１および絶縁体６１２が配置され、絶縁体６１１および絶縁体６１２の上に、メモリセル層８７０＿１乃至メモリセル層８７０＿ｎ（ｎは１以上の整数）が積層される。なお、上記ｎの値については、特に限定は無いが１以上２００以下、好ましくは１以上１００以下、さらに好ましくは、１以上１０以下である。
【０３０８】各メモリセル層８７０においては、図１０と同様に、メモリセル８６０および各種配線がマトリクス状に配置されている。
【０３０９】また、図１２に示すように、各メモリセル層８７０において延在された導電体６４６ｂは、メモリセル層８７０の端部で、導電体６１５、導電体６４０ｅ、および導電体６５７を介して、隣接する上下の層の導電体６４６ｂと接続される。ここで、導電体６１５は、導電体６０５と同じ層に形成され、同様の構成を有する。導電体６４０ｅは、絶縁体６２２、絶縁体６２４、絶縁体６７２、絶縁体６７３、絶縁体６８０、絶縁体６８２、および絶縁体６８５に形成された開口を埋め込むように配置され（図８Ｂ参照）、導電体６４０ｂなどと同様の構成を有する。導電体６５７は、絶縁体６８６、絶縁体６８８、および絶縁体６１４に形成された開口を埋め込むように配置され、導電体６４０ｂなどと同様の構成を有する。
【０３１０】導電体６４６ｂの下面に接して導電体６４０ｅが設けられ、導電体６４０ｅの下面に接して導電体６１５が設けられ、導電体６１５の下面に接して導電体６５７が設けられ、導電体６５７の下面は、一つ下層の導電体６４６ｂの上面に接する。このようにして導電体６４６ｂは、メモリセル層８７０の端部で、隣接する上下の層の導電体６４６ｂと接続される。
【０３１１】また、図１２に示すように、最下層のメモリセル層８７０＿１において、導電体６１５の下に、絶縁体６１１および絶縁体６１２に埋め込まれるように、導電体６０７が配置されている。導電体６０７は、導電体８５６と同じ層に設けられた導電体８５７と接している。このようにして、メモリセル８６０に接続された書き込みビット線ＷＢＬは、導電体８５７を介して、ビット線ドライバ回路１３２に接続される。また、図示してはいないが、上記と同様の方法でメモリセル８６０に接続された読み出しビット線ＲＢＬも、導電体８５７を介して、ビット線ドライバ回路１３２に接続することができる。このようにして、先の実施の形態で図２に示したように、配線ＢＬをメモリセルアレイの端部において連結させて、ビット線ドライバ回路１３２に接続させることができる。
【０３１２】また、メモリセル層８７０＿１乃至メモリセル層８７０＿ｎは、絶縁体６１１、絶縁体６１２、絶縁体６８７、絶縁体６８３、および絶縁体６８４によって、封止された構造であることが好ましい。ここで、シリコン層８７１の上に絶縁体６１１が配置され、絶縁体６１１の上に絶縁体６１２が配置される。絶縁体６１２の上にメモリセル層８７０＿１乃至メモリセル層８７０＿ｎが配置されており、絶縁体６１２も、上面視において、メモリセル層８７０＿１乃至メモリセル層８７０＿ｎと同じパターンに形成されている。絶縁体６１１の上面、絶縁体６１２の側面、およびメモリセル層８７０＿１乃至メモリセル層８７０＿ｎの側面に接して絶縁体６８７が配置される。つまり、絶縁体６８７は、メモリセル層８７０＿１乃至メモリセル層８７０＿ｎに対してサイドウォール状に形成される。絶縁体６１１、絶縁体６８７、およびメモリセル層８７０＿１乃至メモリセル層８７０＿ｎを覆って絶縁体６８３が配置される。さらに、絶縁体６８３を覆って絶縁体６８４が配置される。
【０３１３】絶縁体６１１、絶縁体６１２、絶縁体６８７、絶縁体６８３、および絶縁体６８４は、絶縁体６８２などと同様に、バリア性材料を用いることが好ましい。
【０３１４】ここで、各メモリセル層８７０は、絶縁体６１４、絶縁体６８７、および絶縁体６８２によって封止されている。絶縁体６１４、絶縁体６８７、および絶縁体６８２には、同じ材料を用いることが好ましい。また、絶縁体６１４、絶縁体６８７、および絶縁体６８２の成膜方法は、同じ条件を用いて成膜することが好ましい。膜質が等しい絶縁体６１４、絶縁体６８７、および絶縁体６８２が接することで、密閉性が高い封止構造とすることができる。
【０３１５】また、絶縁体６１４、絶縁体６８７、および絶縁体６８２には、水素を捕獲、および固着する機能を有する材料を用いることが好ましい。具体的には、酸化アルミニウム、酸化ハフニウム、酸化ガリウム、インジウムガリウム亜鉛酸化物などの金属酸化物を用いることができる。
【０３１６】封止構造を形成する絶縁体６１４、絶縁体６８７、および絶縁体６８２は、絶縁体６８０に接して設けられる。従って、絶縁体６８０中に混入した水素を捕獲、および固着することで、メモリセル８６０が有する酸化物半導体の水素濃度を低減することができる。
【０３１７】また、メモリセル層８７０を封止する構造である絶縁体６１４、絶縁体６８７、および絶縁体６８２は、絶縁体６１１、絶縁体６１２、絶縁体６８３によってさらに覆われている。例えば、図１２に示すように、メモリセル層８７０＿１乃至メモリセル層８７０＿ｎの外側で、絶縁体６１１と絶縁体６８３とが接することで、２重目の封止構造を形成する。
【０３１８】ここで、絶縁体６１１、絶縁体６１２と絶縁体６８３には、水素、および酸素に対する拡散を抑制する機能を有する材料を用いることが好ましい。特に、窒化シリコンまたは窒化酸化シリコンは、水素に対するバリア性が高いため、封止する材質として用いることが好ましい。
【０３１９】また、トランジスタ６００の上方を被覆する絶縁体６８３の上方に、被覆性が高い絶縁体６８４を設けることが好ましい。なお、絶縁体６８４は、絶縁体６１２および絶縁体６８３と同じ材料を用いることが好ましい。
【０３２０】例えば、絶縁体６１２、絶縁体６８３は、スパッタリング法を用いて成膜することで、膜中の水素濃度が比較的低い膜により封止構造を設けることができる。
【０３２１】一方、スパッタリング法を用いて成膜した膜は、比較的被覆性が低い。そこで、絶縁体６１１、および絶縁体６８４を、被覆性が高いＣＶＤ法などを用いて成膜することで、より密閉性を高めることができる。
【０３２２】従って、絶縁体６１２および絶縁体６８３は、絶縁体６１１と絶縁体６８４よりも水素濃度が低いことが好ましい。
【０３２３】以上のようにして、メモリセル層８７０＿１乃至メモリセル層８７０＿ｎを、バリア絶縁膜を用いて封止することで、各メモリセル８６０に含まれる酸化物半導体に拡散する水素を低減することができるので、信頼性の高い記憶装置を提供することができる。
【０３２４】なお、好ましくは、絶縁体６１１、絶縁体６１２、絶縁体６１４、絶縁体６８２、絶縁体６８７、絶縁体６８３、および絶縁体６８４は、酸素に対するバリア性を有する材料を用いてもよい。上記封止構造が、酸素に対するバリア性を有することで、絶縁体６８０が有する過剰酸素の外方拡散を抑制し、効率的にトランジスタ６００へと供給することができる。
【０３２５】また、メモリセル層８７０＿１乃至メモリセル層８７０＿ｎ、および絶縁体６８４などを埋め込むように絶縁体６７４が設けられることが好ましい。絶縁体６７４は、絶縁体６８０に用いることができる絶縁体を用いればよい。図１２に示すように、絶縁体６７４と絶縁体６８４は、上面の高さが概略一致することが好ましい。
【０３２６】また、図１２に示すように、絶縁体６７４、絶縁体６８４、絶縁体６８３、および絶縁体６１１に開口を設け、当該開口に導電体８７６を配置してもよい。導電体８７６は、下面が導電体８５６に接する。導電体８７６の上面に接して配線として機能する導電体８７８を設ければよい。また、メモリセル層８７０＿ｎ、絶縁体６７４、および導電体８７８を覆って、層間膜として機能する絶縁体６８９を設けることが好ましい。このような構造にすることで、メモリセル層８７０を介さず、上層の配線（導電体８７８）とシリコン層８７１の回路を電気的に接続することができる。
【０３２７】なお、図１２では、メモリセル層８７０＿１乃至メモリセル層８７０＿ｎを絶縁体６１１、絶縁体６１２、絶縁体６８７、絶縁体６８３、および絶縁体６８４で一括して封止する構成を示したが、本実施の形態に係る記憶装置はこれに限られるものではない。たとえば、図１３に示すように、各メモリセル層８７０が絶縁体６１１、絶縁体６１２、絶縁体６８７、絶縁体６８３、および絶縁体６８４で封止される構成にしてもよい。ここで、絶縁体６１４の下に絶縁体６１２および絶縁体６１１が配置される。
【０３２８】絶縁体６８０、絶縁体６７３、絶縁体６７２、絶縁体６２４、絶縁体６２２、絶縁体６１６、および絶縁体６１４の側面に接して絶縁体６８７が配置される。絶縁体６８０および絶縁体６８７を覆って、絶縁体６８３が設けられ、絶縁体６８３の上に絶縁体６８４が配置される。この場合、絶縁体６８２より上に設けられる、容量素子６５５および絶縁体６８８は、絶縁体６８４の上に配置すればよい。
【０３２９】なお、本実施の形態は、少なくともその一部を本明細書中に記載する他の実施の形態や実施例と適宜組み合わせて実施することができる。
（実施の形態３）
本実施の形態では、上記実施の形態で説明したＯＳトランジスタに用いることができる金属酸化物である、ＣＡＣ−ＯＳ（Ｃｌｏｕｄ−Ａｌｉｇｎｅｄ  Ｃｏｍｐｏｓｉｔｅ  Ｏｘｉｄｅ  Ｓｅｍｉｃｏｎｄｕｃｔｏｒ）、およびＣＡＡＣ−ＯＳ（ｃ−ａｘｉｓ  Ａｌｉｇｎｅｄ  Ｃｒｙｓｔａｌ  Ｏｘｉｄｅ  Ｓｅｍｉｃｏｎｄｕｃｔｏｒ）の構成について説明する。
【０３３０】＜金属酸化物の構成＞
ＣＡＣ−ＯＳまたはＣＡＣ−ｍｅｔａｌ  ｏｘｉｄｅとは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０３３１】また、ＣＡＣ−ＯＳまたはＣＡＣ−ｍｅｔａｌ  ｏｘｉｄｅは、導電性領域、および絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０３３２】また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０３３３】また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、および高い電界効果移動度を得ることができる。
【０３３４】すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）、または金属マトリックス複合材（ｍｅｔａｌ  ｍａｔｒｉｘ  ｃｏｍｐｏｓｉｔｅ）と呼称することもできる。
【０３３５】＜金属酸化物の構造＞
酸化物半導体は、単結晶酸化物半導体と、それ以外の非単結晶酸化物半導体と、に分けられる。非単結晶酸化物半導体としては、例えば、ＣＡＡＣ−ＯＳ（ｃ−ａｘｉｓ  ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）および非晶質酸化物半導体などがある。
【０３３６】また、酸化物半導体は、結晶構造に着目した場合、上記とは異なる分類となる場合がある。ここで、酸化物半導体における、結晶構造の分類について、図１４Ａを用いて説明を行う。図１４Ａは、酸化物半導体、代表的にはＩＧＺＯ（Ｉｎと、Ｇａと、Ｚｎと、を含む金属酸化物）の結晶構造の分類を説明する図である。
【０３３７】図１４Ａに示すように、ＩＧＺＯは、大きく分けてＡｍｏｒｐｈｏｕｓと、Ｃｒｙｓｔａｌｌｉｎｅと、Ｃｒｙｓｔａｌと、に分類される。また、Ａｍｏｒｐｈｏｕｓの中には、ｃｏｍｐｌｅｔｅｌｙ  ａｍｏｒｐｈｏｕｓが含まれる。また、Ｃｒｙｓｔａｌｌｉｎｅの中には、ＣＡＡＣ（ｃ−ａｘｉｓ  ａｌｉｇｎｅｄ  ｃｒｙｓｔａｌｌｉｎｅ）、ｎｃ（ｎａｎｏｃｒｙｓｔａｌｌｉｎｅ）、およびＣＡＣ（Ｃｌｏｕｄ−Ａｌｉｇｎｅｄ  Ｃｏｍｐｏｓｉｔｅ）が含まれる。また、Ｃｒｙｓｔａｌの中には、ｓｉｎｇｌｅ  ｃｒｙｓｔａｌ、およびｐｏｌｙ  ｃｒｙｓｔａｌが含まれる。
【０３３８】なお、図１４Ａに示す太枠内の構造は、Ｎｅｗ  ｃｒｙｓｔａｌｌｉｎｅ  ｐｈａｓｅに属する構造である。当該構造は、Ａｍｏｒｐｈｏｕｓと、Ｃｒｙｓｔａｌとの間の境界領域にある。すなわち、エネルギー的に不安定なＡｍｏｒｐｈｏｕｓと、Ｃｒｙｓｔａｌｌｉｎｅとは全く異なる構造と言い換えることができる。
【０３３９】なお、膜または基板の結晶構造は、Ｘ線回折（ＸＲＤ：Ｘ−Ｒａｙ  Ｄｉｆｆｒａｃｔｉｏｎ）像を用いて評価することができる。ここで、石英ガラス、およびＣｒｙｓｔａｌｌｉｎｅに分類される結晶構造を有するＩＧＺＯ（結晶性ＩＧＺＯともいう）のＸＲＤスペクトルを、図１４Ｂ、図１４Ｃに示す。また、図１４Ｂが石英ガラス、図１４Ｃが結晶性ＩＧＺＯのＸＲＤスペクトルである。なお、図１４Ｃに示す結晶性ＩＧＺＯとしては、Ｉｎ：Ｇａ：Ｚｎ＝４：２：３［原子数比］の組成である。また、図１４Ｃに示す結晶性ＩＧＺＯとしては、厚さ５００ｎｍである。
【０３４０】図１４Ｂの矢印に示すように、石英ガラスは、ＸＲＤスペクトルのピークがほぼ対称である。一方で、図１４Ｃの矢印に示すように、結晶性ＩＧＺＯは、ＸＲＤスペクトルのピークが非対称である。ＸＲＤスペクトルのピークが非対称であることは、結晶の存在を明示している。別言すると、ＸＲＤスペクトルのピークで左右対称でないと、Ａｍｏｒｐｈｏｕｓであるとは言えない。
【０３４１】ＣＡＡＣ−ＯＳは、ｃ軸配向性を有し、かつａ−ｂ面方向において複数のナノ結晶が連結し、歪みを有した結晶構造となっている。なお、歪みとは、複数のナノ結晶が連結する領域において、格子配列の揃った領域と、別の格子配列の揃った領域と、の間で格子配列の向きが変化している箇所を指す。
【０３４２】ナノ結晶は、六角形を基本とするが、正六角形状とは限らず、非正六角形状である場合がある。また、歪みにおいて、五角形、および七角形などの格子配列を有する場合がある。なお、ＣＡＡＣ−ＯＳにおいて、歪み近傍においても、明確な結晶粒界（グレインバウンダリーともいう）を確認することはできない。即ち、格子配列の歪みによって、結晶粒界の形成が抑制されていることがわかる。これは、ＣＡＡＣ−ＯＳが、ａ−ｂ面方向において酸素原子の配列が稠密でないことや、金属元素が置換することで原子間の結合距離が変化することなどによって、歪みを許容することができるためと考えられる。なお、明確な結晶粒界（グレインバウンダリ―）が確認される結晶構造は、いわゆる多結晶（ｐｏｌｙｃｒｙｓｔａｌ）と呼ばれる。結晶粒界は、再結合中心となり、キャリアが捕獲されトランジスタのオン電流の低下、または電界効果移動度の低下を引き起こす可能性が高い。よって、明確な結晶粒界が確認されないＣＡＡＣ−ＯＳは、トランジスタの半導体層に好適な結晶構造を有する結晶性の酸化物の一つである。なお、ＣＡＡＣ−ＯＳを構成するには、Ｚｎを有する構成が好ましい。例えば、Ｉｎ−Ｚｎ酸化物、及びＩｎ−Ｇａ−Ｚｎ酸化物は、Ｉｎ酸化物よりも結晶粒界の発生を抑制できるため好適である。
【０３４３】また、ＣＡＡＣ−ＯＳは、インジウム、および酸素を有する層（以下、Ｉｎ層）と、元素Ｍ、亜鉛、および酸素を有する層（以下、（Ｍ，Ｚｎ）層）とが積層した、層状の結晶構造（層状構造ともいう）を有する傾向がある。なお、インジウムと元素Ｍは、互いに置換可能であり、（Ｍ，Ｚｎ）層の元素Ｍがインジウムと置換した場合、（Ｉｎ，Ｍ，Ｚｎ）層と表すこともできる。また、Ｉｎ層のインジウムが元素Ｍと置換した場合、（Ｉｎ，Ｍ）層と表すこともできる。
【０３４４】ＣＡＡＣ−ＯＳは結晶性の高い酸化物半導体である。一方、ＣＡＡＣ−ＯＳは、明確な結晶粒界を確認することはできないため、結晶粒界に起因する電子移動度の低下が起こりにくいといえる。また、酸化物半導体の結晶性は不純物の混入や欠陥の生成などによって低下する場合があるため、ＣＡＡＣ−ＯＳは不純物や欠陥（酸素欠損など）の少ない酸化物半導体ともいえる。従って、ＣＡＡＣ−ＯＳを有する酸化物半導体は、物理的性質が安定する。そのため、ＣＡＡＣ−ＯＳを有する酸化物半導体は熱に強く、信頼性が高い。また、ＣＡＡＣ−ＯＳは、製造工程における高い温度（所謂サーマルバジェット）に対しても安定である。したがって、ＯＳトランジスタにＣＡＡＣ−ＯＳを用いると、製造工程の自由度を広げることが可能となる。
【０３４５】ｎｃ−ＯＳは、微小な領域（例えば、１ｎｍ以上１０ｎｍ以下の領域、特に１ｎｍ以上３ｎｍ以下の領域）において原子配列に周期性を有する。また、ｎｃ−ＯＳは、異なるナノ結晶間で結晶方位に規則性が見られない。そのため、膜全体で配向性が見られない。したがって、ｎｃ−ＯＳは、分析方法によっては、ａ−ｌｉｋｅ  ＯＳや非晶質酸化物半導体と区別が付かない場合がある。
【０３４６】ａ−ｌｉｋｅ  ＯＳは、ｎｃ−ＯＳと非晶質酸化物半導体との間の構造を有する酸化物半導体である。ａ−ｌｉｋｅ  ＯＳは、鬆または低密度領域を有する。即ち、ａ−ｌｉｋｅ  ＯＳは、ｎｃ−ＯＳおよびＣＡＡＣ−ＯＳと比べて、結晶性が低い。
【０３４７】酸化物半導体は、多様な構造をとり、それぞれが異なる特性を有する。本発明の一形態の酸化物半導体は、非晶質酸化物半導体、多結晶酸化物半導体、ａ−ｌｉｋｅ  ＯＳ、ｎｃ−ＯＳ、ＣＡＡＣ−ＯＳのうち、二種以上を有していてもよい。
【０３４８】＜酸化物半導体を有するトランジスタ＞
続いて、上記酸化物半導体をトランジスタに用いる場合について説明する。
【０３４９】上記酸化物半導体をトランジスタに用いることで、高い電界効果移動度のトランジスタを実現することができる。また、信頼性の高いトランジスタを実現することができる。
【０３５０】トランジスタには、キャリア濃度の低い酸化物半導体を用いることが好ましい。酸化物半導体膜のキャリア濃度を低くする場合においては、酸化物半導体膜中の不純物濃度を低くし、欠陥準位密度を低くすればよい。本明細書等において、不純物濃度が低く、欠陥準位密度の低いことを高純度真性または実質的に高純度真性と言う。
【０３５１】また、高純度真性または実質的に高純度真性である酸化物半導体膜は、欠陥準位密度が低いため、トラップ準位密度も低くなる場合がある。
【０３５２】また、酸化物半導体のトラップ準位に捕獲された電荷は、消失するまでに要する時間が長く、あたかも固定電荷のように振る舞うことがある。そのため、トラップ準位密度の高い酸化物半導体にチャネル形成領域が形成されるトランジスタは、電気特性が不安定となる場合がある。
【０３５３】従って、トランジスタの電気特性を安定にするためには、酸化物半導体中の不純物濃度を低減することが有効である。また、酸化物半導体中の不純物濃度を低減するためには、近接する膜中の不純物濃度も低減することが好ましい。不純物としては、水素、窒素、アルカリ金属、アルカリ土類金属、鉄、ニッケル、シリコン等がある。
【０３５４】＜不純物＞
ここで、酸化物半導体中における各不純物の影響について説明する。
【０３５５】酸化物半導体において、第１４族元素の一つであるシリコンや炭素が含まれると、酸化物半導体において欠陥準位が形成される。このため、酸化物半導体におけるシリコンや炭素の濃度と、酸化物半導体との界面近傍のシリコンや炭素の濃度（二次イオン質量分析法（ＳＩＭＳ：Ｓｅｃｏｎｄａｒｙ  Ｉｏｎ  Ｍａｓｓ  Ｓｐｅｃｔｒｏｍｅｔｒｙ）により得られる濃度）を、２×１０１８ａｔｏｍｓ／ｃｍ３以下、好ましくは２×１０１７ａｔｏｍｓ／ｃｍ３以下とする。
【０３５６】また、酸化物半導体にアルカリ金属またはアルカリ土類金属が含まれると、欠陥準位を形成し、キャリアを生成する場合がある。従って、アルカリ金属またはアルカリ土類金属が含まれている酸化物半導体を用いたトランジスタはノーマリーオン特性となりやすい。このため、酸化物半導体中のアルカリ金属またはアルカリ土類金属の濃度を低減することが好ましい。具体的には、ＳＩＭＳにより得られる酸化物半導体中のアルカリ金属またはアルカリ土類金属の濃度を、１×１０１８ａｔｏｍｓ／ｃｍ３以下、好ましくは２×１０１６ａｔｏｍｓ／ｃｍ３以下にする。
【０３５７】また、酸化物半導体において、窒素が含まれると、キャリアである電子が生じ、キャリア濃度が増加し、ｎ型化しやすい。この結果、窒素が含まれている酸化物半導体をチャネル形成領域に用いたトランジスタはノーマリーオン特性となりやすい。従って、該酸化物半導体において、窒素はできる限り低減されていることが好ましい。例えば、酸化物半導体中の窒素濃度は、ＳＩＭＳにおいて、５×１０１９ａｔｏｍｓ／ｃｍ３未満、好ましくは５×１０１８ａｔｏｍｓ／ｃｍ３以下、より好ましくは１×１０１８ａｔｏｍｓ／ｃｍ３以下、さらに好ましくは５×１０１７ａｔｏｍｓ／ｃｍ３以下とする。
【０３５８】また、酸化物半導体に含まれる水素は、金属原子と結合する酸素と反応して水になるため、酸素欠損を形成する場合がある。該酸素欠損に水素が入ることで、キャリアである電子が生成される場合がある。また、水素の一部が金属原子と結合する酸素と結合して、キャリアである電子を生成することがある。従って、水素が含まれている酸化物半導体を用いたトランジスタはノーマリーオン特性となりやすい。このため、酸化物半導体中の水素はできる限り低減されていることが好ましい。具体的には、酸化物半導体において、ＳＩＭＳにより得られる水素濃度を、１×１０２０ａｔｏｍｓ／ｃｍ３未満、好ましくは１×１０１９ａｔｏｍｓ／ｃｍ３未満、より好ましくは５×１０１８ａｔｏｍｓ／ｃｍ３未満、さらに好ましくは１×１０１８ａｔｏｍｓ／ｃｍ３未満とする。
【０３５９】不純物が十分に低減された酸化物半導体をトランジスタのチャネル形成領域に用いることで、安定した電気特性を付与することができる。
【０３６０】なお、本実施の形態は、本明細書に記載する他の実施の形態と適宜組み合わせて実施することができる。
【０３６１】（実施の形態４）
本実施の形態では、上記実施の形態で説明した記憶装置などが組み込まれた電子部品および電子機器の一例について説明する。
【０３６２】＜電子部品＞
まず、記憶装置１０が組み込まれた電子部品の例を、図１５Ａ、図１５Ｂを用いて説明する。
【０３６３】図１５Ａに、電子部品３０００および電子部品３０００が実装された基板（実装基板３００４）の斜視図を示す。図１５Ａに示す電子部品３０００は、モールド３０１１内に記憶装置１０を有している。図１５Ａは、電子部品３０００の内部を示すために、一部を省略している。電子部品３０００は、モールド３０１１の外側にランド３０１２を有する。ランド３０１２は電極パッド３０１３と電気的に接続され、電極パッド３０１３は記憶装置１０とワイヤ３０１４によって電気的に接続されている。電子部品３０００は、例えばプリント基板３００２に実装される。このような電子部品が複数組み合わされて、それぞれがプリント基板３００２上で電気的に接続されることで実装基板３００４が完成する。
【０３６４】図１５Ｂに、電子部品３０３０の斜視図を示す。電子部品３０３０は、ＳｉＰ（Ｓｙｓｔｅｍ  ｉｎ  ｐａｃｋａｇｅ）またはＭＣＭ（Ｍｕｌｔｉ  Ｃｈｉｐ  Ｍｏｄｕｌｅ）の一例である。電子部品３０３０は、パッケージ基板３０３２（プリント基板）上にインターポーザ３０３１が設けられ、インターポーザ３０３１上に半導体装置３０３５、および複数の記憶装置１０が設けられている。
【０３６５】電子部品３０３０では、記憶装置１０を広帯域メモリ（ＨＢＭ：Ｈｉｇｈ  Ｂａｎｄｗｉｄｔｈ  Ｍｅｍｏｒｙ）として用いる例を示している。また、半導体装置３０３５としては、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）などの集積回路（半導体装置）を用いることができる。
【０３６６】パッケージ基板３０３２は、セラミック基板、プラスチック基板、またはガラスエポキシ基板などを用いることができる。インターポーザ３０３１は、シリコンインターポーザ、樹脂インターポーザなどを用いることができる。
【０３６７】インターポーザ３０３１は、複数の配線を有し、端子ピッチの異なる複数の集積回路を電気的に接続する機能を有する。複数の配線は、単層または多層で設けられる。また、インターポーザ３０３１は、インターポーザ３０３１上に設けられた集積回路をパッケージ基板３０３２に設けられた電極と電気的に接続する機能を有する。これらのことから、インターポーザを「再配線基板」または「中間基板」と呼ぶ場合がある。また、インターポーザ３０３１に貫通電極を設けて、当該貫通電極を用いて集積回路とパッケージ基板３０３２を電気的に接続する場合もある。また、シリコンインターポーザでは、貫通電極として、ＴＳＶ（Ｔｈｒｏｕｇｈ  Ｓｉｌｉｃｏｎ  Ｖｉａ）を用いることも出来る。
【０３６８】インターポーザ３０３１として、シリコンインターポーザを用いることが好ましい。シリコンインターポーザでは能動素子を設ける必要が無いため、集積回路よりも低コストで作製することができる。一方で、シリコンインターポーザの配線形成は半導体プロセスで行なうことができるため、樹脂インターポーザでは難しい微細配線の形成が容易である。
【０３６９】ＨＢＭでは、広いメモリバンド幅を実現するために多くの配線を接続する必要がある。このため、ＨＢＭを実装するインターポーザには、微細かつ高密度の配線形成が求められる。よって、ＨＢＭを実装するインターポーザには、シリコンインターポーザを用いることが好ましい。
【０３７０】また、シリコンインターポーザを用いたＳｉＰやＭＣＭなどでは、集積回路とインターポーザ間の膨張係数の違いによる信頼性の低下が生じにくい。また、シリコンインターポーザは表面の平坦性が高いため、シリコンインターポーザ上に設ける集積回路とシリコンインターポーザ間の接続不良が生じにくい。特に、インターポーザ上に複数の集積回路を横に並べて配置する２．５Ｄパッケージ（２．５次元実装）では、シリコンインターポーザを用いることが好ましい。
【０３７１】また、電子部品３０３０と重ねてヒートシンク（放熱板）を設けてもよい。ヒートシンクを設ける場合は、インターポーザ３０３１上に設ける集積回路の高さを揃えることが好ましい。例えば、本実施の形態に示す電子部品３０３０では、記憶装置１０と半導体装置３０３５の高さを揃えることが好ましい。
【０３７２】電子部品３０３０を他の基板に実装するため、パッケージ基板３０３２の底部に電極３０３３を設けてもよい。図１５Ｂでは、電極３０３３を半田ボールで形成する例を示している。パッケージ基板３０３２の底部に半田ボールをマトリクス状に設けることで、ＢＧＡ（Ｂａｌｌ  Ｇｒｉｄ  Ａｒｒａｙ）実装を実現できる。また、電極３０３３を導電性のピンで形成してもよい。パッケージ基板３０３２の底部に導電性のピンをマトリクス状に設けることで、ＰＧＡ（Ｐｉｎ  Ｇｒｉｄ  Ａｒｒａｙ）実装を実現できる。
【０３７３】電子部品３０３０は、ＢＧＡおよびＰＧＡに限らず様々な実装方法を用いて他の基板に実装することができる。例えば、ＳＰＧＡ（Ｓｔａｇｇｅｒｅｄ  Ｐｉｎ  Ｇｒｉｄ  Ａｒｒａｙ）、ＬＧＡ（Ｌａｎｄ  Ｇｒｉｄ  Ａｒｒａｙ）、ＱＦＰ（Ｑｕａｄ  Ｆｌａｔ  Ｐａｃｋａｇｅ）、ＱＦＪ（Ｑｕａｄ  Ｆｌａｔ  Ｊ−ｌｅａｄｅｄ  ｐａｃｋａｇｅ）、またはＱＦＮ（Ｑｕａｄ  Ｆｌａｔ  Ｎｏｎ−ｌｅａｄｅｄ  ｐａｃｋａｇｅ）などの実装方法を用いることができる。
【０３７４】＜電子機器＞
次に、記憶装置１０を搭載した電子機器の例を、図１６Ａ乃至図１６Ｆ、図１７Ａ、図１７Ｂ、図１８Ａ乃至図１８Ｃ、および、図２０Ａ、図２０Ｂを用いて説明する。
【０３７５】本発明の一形態に係わる記憶装置は、様々な電子機器に用いることができる。特に、本発明の一形態に係わる記憶装置は、電子機器に内蔵されるメモリとして用いることができる。以下、本発明の一形態に係わる記憶装置を用いることができる電子機器として、情報端末、ゲーム機、電化製品、移動体、並列計算機、サーバを含むシステム等を例に挙げ、説明する。
【０３７６】例えば、本発明の一形態に係わる記憶装置を用いることができる電子機器として、情報端末５５００を、図１６Ａに図示する。情報端末５５００は、携帯電話（スマートフォン）である。情報端末５５００は、筐体５５１０と、表示部５５１１とを有しており、入力用インターフェースとして、タッチパネルが表示部５５１１に備えられ、ボタンが筐体５５１０に備えられている。
【０３７７】例えば、本発明の一形態に係わる記憶装置を用いることができる電子機器として、デスクトップ型情報端末５３００を、図１６Ｂに図示する。デスクトップ型情報端末５３００は、情報端末の本体５３０１と、ディスプレイ５３０２と、キーボード５３０３とを有する。
【０３７８】図１６Ａおよび図１６Ｂでは、スマートフォンおよびデスクトップ型情報端末を例として図示したが、それ以外の情報端末として、例えば、ＰＤＡ（Ｐｅｒｓｏｎａｌ  Ｄｉｇｉｔａｌ  Ａｓｓｉｓｔａｎｔ）、ノート型情報端末、ワークステーションなどに、本発明の一形態に係わる記憶装置を用いてもよい。
【０３７９】例えば、本発明の一形態に係わる記憶装置を用いることができる電子機器として、携帯ゲーム機５２００を、図１６Ｃに図示する。携帯ゲーム機５２００は、筐体５２０１、表示部５２０２、ボタン５２０３等を有する。
【０３８０】図１６Ｃでは、携帯ゲーム機を例として図示したが、それ以外のゲーム機として、例えば、家庭用の据え置き型ゲーム機、娯楽施設（ゲームセンター、遊園地など）に設置されるアーケードゲーム機、スポーツ施設に設置されるバッティング練習用の投球マシンなどに、本発明の一形態に係わる記憶装置を用いてもよい。
【０３８１】例えば、本発明の一形態に係わる記憶装置を用いることができる電子機器として、電気冷凍冷蔵庫５８００を、図１６Ｄに図示する。電気冷凍冷蔵庫５８００は、筐体５８０１、冷蔵室用扉５８０２、冷凍室用扉５８０３等を有する。
【０３８２】図１６Ｄでは、電気冷凍冷蔵庫を例として図示したが、それ以外の電化製品として、例えば、掃除機、電子レンジ、電子オーブン、炊飯器、湯沸かし器、ＩＨ調理器、ウォーターサーバ、エアーコンディショナーを含む冷暖房器具、洗濯機、乾燥機、オーディオビジュアル機器、デジタルカメラ、デジタルビデオカメラなどに、本発明の一形態に係わる記憶装置を用いてもよい。
【０３８３】例えば、本発明の一形態に係わる記憶装置を用いることができる電子機器として、自動車５７００を、図１６Ｅに図示する。また、図１６Ｆは、自動車の室内におけるフロントガラス周辺を示す図である。図１６Ｆでは、ダッシュボードに取り付けられた表示パネル５７０１、表示パネル５７０２、表示パネル５７０３の他、ピラーに取り付けられた表示パネル５７０４を図示している。
【０３８４】表示パネル５７０１乃至表示パネル５７０３は、スピードメーターやタコメーター、走行距離、燃料計、ギア状態、エアコンの設定などを表示することで、様々な情報を提供することができる。また、表示パネルに表示される表示項目やレイアウトなどは、ユーザの好みに合わせて適宜変更することができ、デザイン性を高めることができる。表示パネル５７０１乃至表示パネル５７０３は、照明装置として用いることもできる。
【０３８５】表示パネル５７０４には、自動車５７００に設けられた撮像装置（図示しない）からの画像を映し出すことによって、ピラーで遮られた視界（死角）を補完することができる。すなわち、自動車５７００の外側に設けられた撮像装置からの画像を表示することによって、死角を補い、安全性を高めることができる。また、見えない部分を補完する画像を映すことによって、より自然に違和感なく安全確認を行うことができる。表示パネル５７０４は、照明装置として用いることもできる。
【０３８６】図１６Ｅおよび図１６Ｆでは、自動車および自動車のフロントガラス周辺に取り付けられた表示パネルを例として図示したが、それ以外の移動体として、例えば、電車、モノレール、船、飛行体（ヘリコプター、無人航空機（ドローン）、飛行機、ロケット）などに、本発明の一形態に係わる記憶装置を用いてもよい。
【０３８７】例えば、本発明の一形態に係わる記憶装置を用いることができる電子機器として、情報端末７０００を、図１７Ａおよび図１７Ｂに図示する。情報端末７０００は、筐体７０１０、モニタ部７０１２、キーボード７０１３、ポート７０１５等を有する。
【０３８８】キーボード７０１３およびポート７０１５は、筐体７０１０に設けられている。また、ポート７０１５として、例えば、ＵＳＢポート、ＬＡＮポート、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ；ＨＤＭＩは登録商標）ポート等を有している。
【０３８９】筐体７０１０に取り付けられているモニタ部７０１２は、開閉可能である。図１７Ａに、モニタ部７０１２が開いている状態を図示し、図１７Ｂに、モニタ部７０１２が閉じている状態を図示する。例えば、モニタ部７０１２が開く最大の角度は１３５°程度である（図１７Ａ参照）。
【０３９０】筐体７０１０には、開閉可能なカバー７０１１が設けられている（図１７Ｂ参照）。筐体７０１０の内部には、本発明の一形態に係わる記憶装置１０が組み込まれており、記憶装置１０は着脱可能である。筐体７０１０の内部に、記憶装置１０を冷却する装置、または放熱する装置を設けてもよい。カバー７０１１を開けて、記憶装置１０を着脱できるため、情報端末７０００の拡張性は高い。情報端末７０００に複数の記憶装置１０を組み込むことで、高度なグラフィック処理、科学技術計算、人工知能の演算等を行うことができる。
【０３９１】例えば、本発明の一形態に係わる記憶装置を用いることができる電子機器として、大型の並列計算機５４００を、図１８Ａに図示する。並列計算機５４００は、ラック５４１０内に、ラックマウント型の計算機５４２０を複数有している。
【０３９２】図１８Ｂは、計算機５４２０の構成例を示す斜視概略図である。計算機５４２０は、マザーボード５４３０を有し、マザーボードは、複数のスロット５４３１を有する。スロット５４３１には、ＰＣカード５４２１が挿されている。ＰＣカード５４２１は、接続端子５４２３、接続端子５４２４、接続端子５４２５を有し、それぞれ、マザーボード５４３０に接続されている。
【０３９３】図１８Ｃは、ＰＣカード５４２１の構成例を示す斜視概略図である。ＰＣカード５４２１は、ボード５４２２を有し、ボード５４２２上に、接続端子５４２３、接続端子５４２４、接続端子５４２５、チップ５４２６、チップ５４２７等を有する。
【０３９４】チップ５４２６、チップ５４２７等として、本発明の一形態に係わる記憶装置、ＣＰＵ、ＧＰＵ、ＦＰＧＡ等が搭載されている。チップ５４２６、チップ５４２７等は、信号の入出力を行う複数の端子（図示しない）を有しており、当該端子をＰＣカード５４２１が備えるソケット（図示しない）に差し込むことで、ＰＣカード５４２１との電気的な接続を行ってもよいし、当該端子をＰＣカード５４２１が備える配線に、例えば、リフロー方式のはんだ付けを行うことで、電気的な接続を行ってもよい。
【０３９５】接続端子５４２３、接続端子５４２４、接続端子５４２５は、例えば、ＰＣカード５４２１に対する電力供給、信号入出力などを行うためのインターフェースとすることができる。接続端子５４２３、接続端子５４２４、接続端子５４２５の規格として、例えば、ＵＳＢ（Ｕｎｉｖｅｒｓａｌ  Ｓｅｒｉａｌ  Ｂｕｓ）、ＳＡＴＡ（Ｓｅｒｉａｌ  ＡＴＡ）、ＳＣＳＩ（Ｓｍａｌｌ  Ｃｏｍｐｕｔｅｒ  Ｓｙｓｔｅｍ  Ｉｎｔｅｒｆａｃｅ）、また映像信号を出力する場合はＨＤＭＩ（登録商標）等が挙げられる。
【０３９６】また、ＰＣカード５４２１は、ボード５４２２上に、接続端子５４２８を有する。接続端子５４２８は、マザーボード５４３０のスロット５４３１に挿すことができる形状であり、接続端子５４２８は、ＰＣカード５４２１とマザーボード５４３０とを接続するためのインターフェースとして機能する。接続端子５４２８の規格として、例えば、ＰＣＩ  Ｅｘｐｒｅｓｓ（ＰＣＩｅともいう：ＰＣＩ  ＥｘｐｒｅｓｓおよびＰＣＩｅは、登録商標）が挙げられる。
【０３９７】並列計算機５４００は、例えば、大規模な科学技術計算、人工知能の学習および推論に必要な大規模な演算を行うことができる。
【０３９８】一般に、コンピュータなどの半導体装置では、用途に応じて様々な記憶装置（メモリ）が用いられる。図１９に、各種の記憶装置を階層ごとに示す。上層に位置する記憶装置ほど速いアクセス速度が求められ、下層に位置する記憶装置ほど大きな記憶容量と高い記録密度が求められる。図１９では、最上層から順に、ＣＰＵなどの演算処理装置にレジスタとして混載されるメモリ、ＳＲＡＭ（Ｓｔａｔｉｃ  Ｒａｎｄｏｍ  Ａｃｃｅｓｓ  Ｍｅｍｏｒｙ）、ＤＲＡＭ、３Ｄ  ＮＡＮＤメモリを示している。
【０３９９】ＣＰＵなどの演算処理装置にレジスタとして混載されるメモリは、演算結果の一時保存などに用いられるため、演算処理装置からのアクセス頻度が高い。よって、記憶容量よりも速い動作速度が求められる。また、レジスタは演算処理装置の設定情報などを保持する機能も有する。
【０４００】ＳＲＡＭは、例えばキャッシュに用いられる。キャッシュは、メインメモリに保持されている情報の一部を複製して保持する機能を有する。使用頻繁が高いデータをキャッシュに複製しておくことで、データへのアクセス速度を高めることができる。
【０４０１】ＤＲＡＭは、例えばメインメモリに用いられる。メインメモリは、ストレージから読み出されたプログラムやデータを保持する機能を有する。ＤＲＡＭの記録密度は、おおよそ０．１乃至０．３Ｇｂｉｔ／ｍｍ２である。
【０４０２】３Ｄ  ＮＡＮＤメモリは、例えばストレージに用いられる。ストレージは、長期保存が必要なデータや、演算処理装置で使用する各種のプログラムなどを保持する機能を有する。よって、ストレージには動作速度よりも大きな記憶容量と高い記録密度が求められる。ストレージに用いられる記憶装置の記録密度は、おおよそ０．６乃至６．０Ｇｂｉｔ／ｍｍ２である。
【０４０３】本発明の一形態に係わる記憶装置は、動作速度が速く、長期間のデータ保持が可能である。本発明の一形態に係わる記憶装置は、キャッシュが位置する階層とメインメモリが位置する階層の双方を含む境界領域９０１に位置する記憶装置として好適に用いることができる。また、本発明の一形態に係わる記憶装置は、メインメモリが位置する階層とストレージが位置する階層の双方を含む境界領域９０２に位置する記憶装置として好適に用いることができる。
【０４０４】本発明の一形態に係わる記憶装置は、サーバ、ノートＰＣ、スマートフォン、ゲーム機、イメージセンサ、ＩｏＴ（Ｉｎｔｅｒｎｅｔ  ｏｆ  Ｔｈｉｎｇｓ）、ヘルスケアなどに用いる記憶装置として好適に用いることができる。
【０４０５】例えば、本発明の一形態に係わる記憶装置を用いることができる電子機器として、サーバ５１００を含むシステムを、図２０Ａに図示する。図２０Ａは、サーバ５１００と、情報端末５５００およびデスクトップ型情報端末５３００との間で、通信５１１０を行う様子を模式的に示している。
【０４０６】ユーザは、情報端末５５００、デスクトップ型情報端末５３００等から、サーバ５１００にアクセスすることができる。そして、インターネットを介した通信５１１０によって、ユーザは、サーバ５１００の管理者が提供するサービスを受けることができる。当該サービスとして、例えば、電子メール、ＳＮＳ（Ｓｏｃｉａｌ  Ｎｅｔｗｏｒｋｉｎｇ  Ｓｅｒｖｉｃｅ）、オンラインソフトウェア、クラウドストレージ、ナビゲーションシステム、翻訳システム、インターネットゲーム、オンラインショッピング、株・為替・債権などの金融取引、公共施設・商業施設・宿泊施設・病院などの予約システム、インターネット番組・講演・講義などの視聴等が挙げられる。
【０４０７】また、科学技術計算、人工知能の学習および推論に必要な演算等、ユーザの手元にある情報端末５５００またはデスクトップ型情報端末５３００では処理能力が足りない場合、ユーザは、通信５１１０によってサーバ５１００にアクセスし、サーバ５１００上で当該計算または演算を行うことができる。
【０４０８】例えば、サーバ５１００上で提供されるサービスにおいて、人工知能を利用することができる。例えば、ナビゲーションシステムに人工知能を導入することで、当該システムは、道路の混雑状況、電車の運行情報などに応じて臨機応変に案内できる場合がある。例えば、翻訳システムに人工知能を導入することで、当該システムは、方言・スラングなど独特の言い回しを適切に翻訳できる場合がある。例えば、病院などの予約システムに人工知能を利用することで、当該システムは、ユーザの症状・怪我の度合いなどを判断し、適切な病院・診察所等を紹介できる場合がある。
【０４０９】図２０Ａでは、サーバ５１００と、情報端末５５００およびデスクトップ型情報端末５３００との間で、通信５１１０を行う様子を示しているが、サーバ５１００と、情報端末以外の電子機器との間で、通信５１１０を行ってもよい。例えば、電子機器をインターネットに接続したＩｏＴの形態であってもよい。
【０４１０】図２０Ｂは、一例として、サーバ５１００と、電子機器（電気冷凍冷蔵庫５８００、携帯ゲーム機５２００、自動車５７００、テレビジョン装置５６００）との間で、通信５１１０を行う様子を模式的に示している。
【０４１１】図２０Ｂにおいて、それぞれの電子機器は人工知能を利用してもよい。人工知能の学習および推論に必要な演算等を、サーバ５１００上で行うことができる。例えば、演算に必要なデータが、通信５１１０によって、電子機器の一つからサーバ５１００に送信され、サーバ５１００上で人工知能の演算が行われ、出力データが、通信５１１０によって、サーバ５１００から電子機器の一つに送信される。これにより、当該電子機器は、人工知能の演算によって出力されたデータを利用することができる。
【０４１２】なお、図２０Ｂに示す電子機器は一例であり、サーバ５１００と、図２０Ｂに示されていない電子機器との間で、通信５１１０を行ってもよい。
【０４１３】上述のように、本発明の一形態に係わる記憶装置は、様々な電子機器に用いることができる。本発明の一形態に係わる記憶装置は、少ない電源数で動作させることができ、当該記憶装置を用いた電子機器のコストを低減することができる。また、本発明の一形態に係わる記憶装置は、チップ面積が小さく、電子機器を小型化することができる。もしくは、より多くの記憶装置を、電子機器に搭載することができる。また、本発明の一形態に係わる記憶装置は、温度の高い環境においても、データの消失が生じにくく、高速動作を行うことができる。本発明の一形態に係わる記憶装置を用いることで、温度の高い環境においても確実に動作する、信頼性の高い電子機器を提供することができる。
【０４１４】なお、本実施の形態は、本明細書に記載する他の実施の形態と適宜組み合わせて実施することができる。
【符号の説明】
【０４１５】ＢＧ１：配線、ＢＧ２：配線、Ｃ１１：容量素子、Ｍ１２：トランジスタ、Ｎ１１：ノード、１０：記憶装置、１１：トランジスタ、１２：トランジスタ、５０：回路、５１：センスアンプ回路、５２：ＡＮＤ回路、５３：アナログスイッチ、５４：アナログスイッチ、６１：トランジスタ、６２：トランジスタ、６３：トランジスタ、６４：トランジスタ、６６：トランジスタ、１００：層、１０１：周辺回路、１１１：メモリセルアレイ、１１２：メモリセル、１１３：メモリセル、１２１：ローデコーダ、１２２：ワード線ドライバ回路、１２３：ワード線ドライバ回路、１２４：プレデコーダ、１３１：カラムデコーダ、１３２：ビット線ドライバ回路、１３３：プリチャージ回路、１３４：センスアンプ回路、１３５：出力ＭＵＸ回路、１３６：ドライバ回路、１３８：ページバッファ、１４１：出力回路、１５１：コントロールロジック回路、２００：層、２００＿ｌ：層、２００＿１：層、２００＿２：層、２００＿３：層、６００：トランジスタ、６０５：導電体、６０５ａ：導電体、６０５ｂ：導電体、６０７：導電体、６１１：絶縁体、６１２：絶縁体、６１４：絶縁体、６１５：導電体、６１６：絶縁体、６２２：絶縁体、６２４：絶縁体、６３０：酸化物、６３０ａ：酸化物、６３０ｂ：酸化物、６３０ｃ：酸化物、６４０：導電体、６４０ａ：導電体、６４０ｂ：導電体、６４０ｃ：導電体、６４０ｄ：導電体、６４０ｅ：導電体、６４２：導電体、６４２ａ：導電体、６４２ｂ：導電体、６４３：酸化物、６４３ａ：酸化物、６４３ｂ：酸化物、６４６：導電体、６４６ａ：導電体、６４６ｂ：導電体、６５０：絶縁体、６５５：容量素子、６５６：導電体、６５７：導電体、６６０：導電体、６６０ａ：導電体、６６０ｂ：導電体、６７２：絶縁体、６７３：絶縁体、６７４：絶縁体、６８０：絶縁体、６８２：絶縁体、６８３：絶縁体、６８４：絶縁体、６８５：絶縁体、６８６：絶縁体、６８７：絶縁体、６８８：絶縁体、６８９：絶縁体、６９０：トランジスタ、７００：トランジスタ、７０５：導電体、７０５ａ：導電体、７０５ｂ：導電体、７３０：酸化物、７３０ａ：酸化物、７３０ｂ：酸化物、７３０ｃ：酸化物、７４２：導電体、７４２ａ：導電体、７４２ｂ：導電体、７４３：酸化物、７４３ａ：酸化物、７４３ｂ：酸化物、７４６：導電体、７５０：絶縁体、７６０：導電体、７６０ａ：導電体、７６０ｂ：導電体、７９０：トランジスタ、８００：トランジスタ、８１１：基板、８１３：半導体領域、８１４ａ：低抵抗領域、８１４ｂ：低抵抗領域、８１５：絶縁体、８１６：導電体、８２０：絶縁体、８２２：絶縁体、８２４：絶縁体、８２６：絶縁体、８２８：導電体、８３０：導電体、８５０：絶縁体、８５２：絶縁体、８５４：絶縁体、８５６：導電体、８５７：導電体、８６０：メモリセル、８６０＿１：メモリセル、８６０＿２：メモリセル、８６０＿３：メモリセル、８６０＿４：メモリセル、８６０＿５：メモリセル、８６０＿６：メモリセル、８７０：メモリセル層、８７０＿ｎ：メモリセル層、８７０＿１：メモリセル層、８７０＿２：メモリセル層、８７１：シリコン層、８７６：導電体、８７８：導電体、９０１：境界領域、９０２：境界領域、３０００：電子部品、３００２：プリント基板、３００４：実装基板、３０１１：モールド、３０１２：ランド、３０１３：電極パッド、３０１４：ワイヤ、３０３０：電子部品、３０３１：インターポーザ、３０３２：パッケージ基板、３０３３：電極、３０３５：半導体装置、５１００：サーバ、５１１０：通信、５２００：携帯ゲーム機、５２０１：筐体、５２０２：表示部、５２０３：ボタン、５３００：デスクトップ型情報端末、５３０１：本体、５３０２：ディスプレイ、５３０３：キーボード、５４００：並列計算機、５４１０：ラック、５４２０：計算機、５４２１：ＰＣカード、５４２２：ボード、５４２３：接続端子、５４２４：接続端子、５４２５：接続端子、５４２６：チップ、５４２７：チップ、５４２８：接続端子、５４３０：マザーボード、５４３１：スロット、５５００：情報端末、５５１０：筐体、５５１１：表示部、５６００：テレビジョン装置、５７００：自動車、５７０１：表示パネル、５７０２：表示パネル、５７０３：表示パネル、５７０４：表示パネル、５８００：電気冷凍冷蔵庫、５８０１：筐体、５８０２：冷蔵室用扉、５８０３：冷凍室用扉、７０００：情報端末、７０１０：筐体、７０１１：カバー、７０１２：モニタ部、７０１３：キーボード、７０１５：ポート
【図１】
2020157558.tif 000003
【図２】
2020157558.tif 000004
【図３】
2020157558.tif 000005
【図４】
2020157558.tif 000006
【図５Ａ】
2020157558.tif 000007
【図５Ｂ】
2020157558.tif 000008
【図６】
2020157558.tif 000009
【図７】
2020157558.tif 000010
【図８Ａ】
2020157558.tif 000011
【図８Ｂ】
2020157558.tif 000012
【図９Ａ】
2020157558.tif 000013
【図９Ｂ】
2020157558.tif 000014
【図１０】
2020157558.tif 000015
【図１１】
2020157558.tif 000016
【図１２】
2020157558.tif 000017
【図１３】
2020157558.tif 000018
【図１４Ａ】
2020157558.tif 000019
【図１４Ｂ】
2020157558.tif 000020
【図１４Ｃ】
2020157558.tif 000021
【図１５Ａ】
2020157558.tif 000022
【図１５Ｂ】
2020157558.tif 000023
【図１６Ａ】
2020157558.tif 000024
【図１６Ｂ】
2020157558.tif 000025
【図１６Ｃ】
2020157558.tif 000026
【図１６Ｄ】
2020157558.tif 000027
【図１６Ｅ】
2020157558.tif 000028
【図１６Ｆ】
2020157558.tif 000029
【図１７Ａ】
2020157558.tif 000030
【図１７Ｂ】
2020157558.tif 000031
【図１８Ａ】
2020157558.tif 000032
【図１８Ｂ】
2020157558.tif 000033
【図１８Ｃ】
2020157558.tif 000034
【図１９】
2020157558.tif 000035
【図２０Ａ】
2020157558.tif 000036
【図２０Ｂ】
2020157558.tif 000037
【国際調査報告】
2020157558.tif 000038
2020157558.tif 000039
2020157558.tif 000040
2020157558.tif 000041